(57)【要約】【課題】回胴式遊技機に関する遊技仕様に則りつつも、回胴リールの停止順番に応じて入賞役の種類を決定することができる回胴式遊技機を提供する。【解決手段】主制御基板７０のＣＰＵ７４は、役抽選でＳＢ及びベル小役の同時当選が決定された場合、左側停止ボタンが右側停止ボタンよりも先に押されたときには、ゲームの結果がＳＢの入賞及びベル小役の非入賞となるように各回胴リールの停止動作を制御し、右側停止ボタンが左側停止ボタンよりも先に押されたときには、ゲームの結果がベル小役の入賞及びＳＢの非入賞となるように各回胴リールの停止動作を制御する。これにより、ＳＢ及びベル小役の同時当選時には、回胴リールの停止順番に応じて入賞役の種類が決定される。【選択図】図２
2007330384.tif 000002
【特許請求の範囲】
【請求項１】
複数の図柄が配された図柄列を有し、回転可能に構成された三つの回胴リールと、前記三つの回胴リールの前側に設けられた、前記三つの回胴リールの停止時に前記回胴リールの回転方向に沿って所定数の図柄を、その回転方向に直交する方向に沿って三つの図柄を表示することができる表示窓と、前記三つの回胴リールが回転を開始する契機を与える回転指示手段と、前記各回胴リールに対応して設けられた、当該回胴リールが回転を停止する契機を与える三つの停止指示手段とを備え、前記回転指示手段が操作されることによって前記三つの回胴リールが回転を開始した後に前記三つの停止指示手段が操作されることによって前記三つの回胴リールが停止したときに各種の役に対応する図柄の組合せが前記表示窓に停止表示されれば当該役に入賞するという遊技を行う回胴式遊技機において、
前記回転指示手段が操作されたときに抽選で入賞可能な役を決定する役抽選手段と、
前記各停止指示手段が操作されたときに、前記役抽選手段によって決定された前記入賞可能な役に応じて当該停止指示手段に対する前記回胴リールの停止動作を制御する遊技制御手段と、
を具備し、
前記三つの回胴リールのうち第一回胴リールについての図柄列には、第一図柄が含まれ、前記三つの回胴リールのうち第二回胴リールについての図柄列には、第二図柄が含まれており、
前記役抽選手段による抽選では、前記第一回胴リールに配された前記第一図柄が前記表示窓に停止表示されることによって入賞となる第一役と前記第二回胴リールに配された前記第二図柄が前記表示窓に停止表示されることによって入賞となる第二役とに同時に当選可能であり、
前記遊技制御手段は、前記役抽選手段によって前記第一役及び前記第二役の同時当選が決定された場合、前記第一回胴リールに対する前記停止指示手段が前記第二回胴リールに対する前記停止指示手段よりも先に操作されたときには、前記遊技の結果が前記第一役の入賞及び前記第二役の非入賞となるように前記各回胴リールの停止動作を制御し、前記第二回胴リールに対する前記停止指示手段が前記第一回胴リールに対する前記停止指示手段よりも先に操作されたときには、前記遊技の結果が前記第二役の入賞及び前記第一役の非入賞となるように前記各回胴リールの停止動作を制御することを特徴とする回胴式遊技機。
【請求項２】
前記表示窓は、前記各回胴リールの停止時に当該回胴リールの回転方向に沿って三つの図柄を表示することができ、
前記遊技制御手段は、前記各停止指示手段が操作された場合、当該停止指示手段に対する前記回胴リールの回転が停止する時期を、当該停止指示手段が操作された時期から、一つの図柄が四つ先の図柄の位置まで移動することができる時間の範囲内で遅延させることが可能であり、
前記第一回胴リールについての図柄列は、前記第一図柄同士の間に前記第一図柄以外の図柄が三つ以上六つ以下含まれるように構成され、前記第二回胴リールについての図柄列は、前記第二図柄同士の間に前記第二図柄以外の図柄が三つ以上六つ以下含まれるように構成されていることを特徴とする請求項１記載の回胴式遊技機。
【請求項３】
前記遊技制御手段は、前記各停止指示手段が操作された場合、当該停止指示手段に対する前記回胴リールの回転が停止する時期を、当該停止指示手段が操作された時期から、一つの図柄が前記表示窓を通過する時間よりも長い所定の時間の範囲内で遅延させることが可能であり、
前記第一回胴リールについての図柄列は、前記第一図柄同士の間に前記第一図柄以外の図柄が、前記表示窓が前記回胴リールの回転方向に沿って表示することができる図柄の数と同数又はそれよりも多く含まれるように、且つ前記第一回胴リールの回転中に前記第一図柄が前記表示窓に現れてから再び現れるまでの期間が前記所定の時間内となるように構成され、
前記第二回胴リールについての図柄列は、前記第二図柄同士の間に前記第二図柄以外の図柄が、前記表示窓が前記回胴リールの回転方向に沿って表示することができる図柄の数と同数又はそれよりも多く含まれるように、且つ前記第二回胴リールの回転中に前記第二図柄が前記表示窓に現れてから再び現れるまでの期間が前記所定の時間内となるように構成されていることを特徴とする請求項１記載の回胴式遊技機。
【請求項４】
遊技の演出を行う演出手段と、
前記役抽選手段によって前記第一役及び前記第二役の同時当選が決定された場合に、当該同時当選したことを遊技者に告知する演出を行うことを決定し、その決定した演出の内容にしたがって前記演出手段を制御する演出制御手段と、
を更に備えることを特徴とする請求項１、２又は３記載の回胴式遊技機。
【請求項５】
前記第二役の入賞によって期待される遊技媒体の獲得数量は前記第一役の入賞によって期待される遊技媒体の獲得数量よりも多いことを特徴とする請求項１、２、３又は４記載の回胴式遊技機。
【請求項６】
複数の図柄が配された図柄列を有し、回転可能に構成された三つの回胴リールと、前記三つの回胴リールの前側に設けられた、前記三つの回胴リールの停止時に前記回胴リールの回転方向に沿って所定数の図柄を、その回転方向に直交する方向に沿って三つの図柄を表示することができる表示窓と、前記三つの回胴リールが回転を開始する契機を与える回転指示手段と、前記各回胴リールに対応して設けられた、当該回胴リールが回転を停止する契機を与える三つの停止指示手段とを備え、前記回転指示手段が操作されることによって前記三つの回胴リールが回転を開始した後に前記三つの停止指示手段が操作されることによって前記三つの回胴リールが停止したときに各種の役に対応する図柄の組合せが前記表示窓内の有効な位置に停止表示されれば当該役に入賞するという遊技を行う回胴式遊技機において、
前記回転指示手段が操作されたときに抽選で入賞可能な役を決定する役抽選手段と、
前記各停止指示手段が操作されたときに、前記役抽選手段によって決定された前記入賞可能な役に応じて当該停止指示手段に対する前記回胴リールの停止動作を制御する遊技制御手段と、
を具備し、
前記三つの回胴リールのうち第一回胴リールについての図柄列には、第一図柄と第三図柄とが含まれ、前記三つの回胴リールのうち第二回胴リールについての図柄列には、第二図柄と第四図柄とが含まれており、
前記役抽選手段による抽選では、前記第一回胴リールに配された前記第一図柄が前記表示窓内の前記有効な位置に停止表示されることによって入賞となる第一役と前記第二回胴リールに配された前記第二図柄が前記表示窓内の前記有効な位置に停止表示されることによって入賞となる第二役とに同時に当選可能であると共に、前記第一回胴リールに配された前記第三図柄が前記表示窓内の前記有効な位置に停止表示されることによって入賞となる第三役と前記第二回胴リールに配された前記第四図柄が前記表示窓内の前記有効な位置に停止表示されることによって入賞となる第四役とに同時に当選可能であり、
前記遊技制御手段は、前記役抽選手段によって前記第一役及び前記第二役の同時当選が決定された場合にあっては、前記第一回胴リールに対する前記停止指示手段が前記第二回胴リールに対する前記停止指示手段よりも先に操作されたときに、前記遊技の結果が前記第一役の入賞及び前記第二役の非入賞となるように前記各回胴リールの停止動作を制御し、前記第二回胴リールに対する前記停止指示手段が前記第一回胴リールに対する前記停止指示手段よりも先に操作されたときに、前記遊技の結果が前記第二役の入賞及び前記第一役の非入賞となるように前記各回胴リールの停止動作を制御し、前記役抽選手段によって前記第三役及び前記第四役の同時当選が決定された場合にあっては、前記第一回胴リールに対する前記停止指示手段が前記第二回胴リールに対する前記停止指示手段よりも先に操作されたときに、前記遊技の結果が前記第三役の入賞及び前記第四役の非入賞となるように前記各回胴リールの停止動作を制御し、前記第二回胴リールに対する前記停止指示手段が前記第一回胴リールに対する前記停止指示手段よりも先に操作されたときに、前記遊技の結果が前記第四役の入賞及び前記第三役の非入賞となるように前記各回胴リールの停止動作を制御することを特徴とする回胴式遊技機。
【請求項７】
前記表示窓は、前記各回胴リールの停止時に当該回胴リールの回転方向に沿って三つの図柄を表示することができ、
前記遊技制御手段は、前記各停止指示手段が操作された場合、当該停止指示手段に対する前記回胴リールの回転が停止する時期を、当該停止指示手段が操作された時期から、一つの図柄が四つ先の図柄の位置まで移動することができる時間の範囲内で遅延させることが可能であり、
前記第一回胴リールについての図柄列は、前記第一図柄同士の間に前記第一図柄以外の図柄が多くとも六つ含まれるように且つ前記第三図柄同士の間に前記第三図柄以外の図柄が多くとも六つ含まれるように構成され、前記第二回胴リールについての図柄列は、前記第二図柄同士の間に前記第二図柄以外の図柄が多くとも六つ含まれるように且つ前記第四図柄同士の間に前記第四図柄以外の図柄が多くとも六つ含まれるように構成されていることを特徴とする請求項６記載の回胴式遊技機。
【請求項８】
前記遊技制御手段は、前記各停止指示手段が操作された場合、当該停止指示手段に対する前記回胴リールの回転が停止する時期を、当該停止指示手段が操作された時期から、所定の時間の範囲内で遅延させることが可能であり、
前記第一回胴リールについての図柄列は、前記第一回胴リールの回転中に前記第一図柄が前記表示窓内の前記有効な位置に現れてから再び現れるまでの期間が前記所定の時間内となるように且つ前記第三図柄が前記表示窓内の前記有効な位置に現れてから再び現れるまでの期間が前記所定の時間内となるように構成され、
前記第二回胴リールについての図柄列は、前記第二回胴リールの回転中に前記第二図柄が前記表示窓内の前記有効な位置に現れてから再び現れるまでの期間が前記所定の時間内となるように且つ前記第四図柄が前記表示窓内の前記有効な位置に現れてから再び現れるまでの期間が前記所定の時間内となるように構成されていることを特徴とする請求項６記載の回胴式遊技機。
【請求項９】
遊技の演出を行う演出手段と、
前記役抽選手段によって前記第一役及び前記第二役の同時当選又は前記第三役及び前記第四役の同時当選が決定された場合に、当該同時当選したことを遊技者に告知する演出を行うことを決定し、その決定した演出の内容にしたがって前記演出手段を制御する演出制御手段と、
を更に備えることを特徴とする請求項６、７又は８記載の回胴式遊技機。
【請求項１０】
前記第二役の入賞によって期待される遊技媒体の獲得数量は前記第一役の入賞によって期待される遊技媒体の獲得数量よりも多く、且つ、前記第三役の入賞によって期待される遊技媒体の獲得数量は前記第四役の入賞によって期待される遊技媒体の獲得数量よりも多いことを特徴とする請求項６、７、８又は９記載の回胴式遊技機。
【発明の詳細な説明】
【技術分野】
【０００１】
本発明は、遊技時に乱数値を取得し、その乱数値に基づいて役の抽選が行われる、パチスロ機、パロット機等と称される回胴式遊技機に関するものである。
【背景技術】
【０００２】
上記の回胴式遊技機には、一般に、複数の図柄が記された三つの回胴リールと、三つの回胴リールの回転開始を指示するためのスタートレバーと、各回胴リールの回転停止を指示するための三つの停止ボタンと、演出手段と、主制御基板と、演出制御基板とが設けられている。遊技者がスタートレバーを操作すると、三つの回胴リールの駆動が開始し、各停止ボタンを押下すると、当該停止ボタンに対応する回胴リールの駆動が停止する。そして、三つの回胴リールが停止したときに、各種の役に対応する図柄の組合せが表示されると、ゲームの結果が当該役の入賞となる。主制御基板は、回胴リールの制御等、遊技内容の制御を行うものである。演出制御基板は、主制御基板からの指令信号に基づいて演出内容を決定し、その演出内容にしたがって演出手段を制御するものである。演出手段は、遊技の状況に応じて遊技に関わる演出を行う。
【０００３】
また、主制御基板は、スタートレバーの押下時に乱数値を取得し、その取得した乱数値に基づいて役の抽選処理を行う。この役の抽選処理においては、主制御基板は、当該乱数値が予め定められた当たり値に該当するか否かを判定することにより、ボーナス、小役、リプレイ役に当選したか、いずれの役にも当選しなかったかを決定する。主制御基板は、役抽選で決定された役の入賞を許容するように各回胴リールの停止動作を制御する。
【０００４】
特に、最近では、役抽選で所定の役に当選した場合に、三つの停止ボタンを押す順番によって当該役に入賞するか否かを決定する回胴式遊技機が提案されている（例えば、特許文献１参照）。すなわち、この回胴式遊技機では、遊技者による停止ボタンの操作内容が役入賞の判定要素に加えられている。このため、たとえ所定の役に当選し、かつ、遊技者がよいタイミングで三つの停止ボタンを押したとしても、三つの停止ボタンを押す順番が所定の順番と異なっていれば、当該役に入賞することはない。また、一つの当選役に対して遊技媒体の払出しが異なる複数の入賞態様を設定し、三つの停止ボタンを押す順番によって一つの入賞態様を成立させる回胴式遊技機も提案されている（例えば、特許文献２参照）。
【０００５】
【特許文献１】特開２００２−３４６０３７号公報
【特許文献２】特開２００５−３０４８６８号公報
【発明の開示】
【発明が解決しようとする課題】
【０００６】
しかしながら、上記特許文献１に示された従来技術を適用した回胴式遊技機では、所定の役に当選し、遊技者がよいタイミングで三つの停止ボタンを押した場合であっても、当該役に入賞しないということが起こり得る。これは、パチスロの遊技性に照らして考えると、遊技者にとって理不尽な結果であるといえる。通常であれば当該役に入賞するはずであるのに、三つの停止ボタンを押す順番が異なるというだけで、役入賞の権利そのものが奪われてしまうのは、遊技者に酷であり、ひいては遊技者のゲームに対する意欲が失われてしまうことにもなる。このため、停止ボタンを押す順番が所定の順番と異なるときに役入賞の権利そのものを無くしてしまうのではなく、停止ボタンを押す順番に応じて入賞役の種類を決定することができるような回胴式遊技機の実現が望まれている。
【０００７】
また、上記特許文献２に示された従来技術を適用した回胴式遊技機では、一つの当選役に対して遊技媒体の払出しが異なる複数の入賞態様を設定し、三つの停止ボタンを押す順番に対応して入賞役を異ならせるような遊技が可能である。しかし、一つの当選役に対し複数の入賞態様を設定すること自体が回胴式遊技機に関する遊技仕様に則っていないため、その実現は不可能である。
【０００８】
本発明は上記事情に基づいてなされたものであり、回胴式遊技機に関する遊技仕様に則りつつも、回胴リールの停止順番に応じて入賞役の種類を決定することができる回胴式遊技機を提供することを目的とするものである。
【課題を解決するための手段】
【０００９】
上記の目的を達成するための請求項１記載の発明は、複数の図柄が配された図柄列を有し、回転可能に構成された三つの回胴リールと、前記三つの回胴リールの前側に設けられた、前記三つの回胴リールの停止時に前記回胴リールの回転方向に沿って所定数の図柄を、その回転方向に直交する方向に沿って三つの図柄を表示することができる表示窓と、前記三つの回胴リールが回転を開始する契機を与える回転指示手段と、前記各回胴リールに対応して設けられた、当該回胴リールが回転を停止する契機を与える三つの停止指示手段とを備え、前記回転指示手段が操作されることによって前記三つの回胴リールが回転を開始した後に前記三つの停止指示手段が操作されることによって前記三つの回胴リールが停止したときに各種の役に対応する図柄の組合せが前記表示窓に停止表示されれば当該役に入賞するという遊技を行う回胴式遊技機において、前記回転指示手段が操作されたときに抽選で入賞可能な役を決定する役抽選手段と、前記各停止指示手段が操作されたときに、前記役抽選手段によって決定された前記入賞可能な役に応じて当該停止指示手段に対する前記回胴リールの停止動作を制御する遊技制御手段と、を具備し、前記三つの回胴リールのうち第一回胴リールについての図柄列には、第一図柄が含まれ、前記三つの回胴リールのうち第二回胴リールについての図柄列には、第二図柄が含まれており、前記役抽選手段による抽選では、前記第一回胴リールに配された前記第一図柄が前記表示窓に停止表示されることによって入賞となる第一役と前記第二回胴リールに配された前記第二図柄が前記表示窓に停止表示されることによって入賞となる第二役とに同時に当選可能であり、前記遊技制御手段は、前記役抽選手段によって前記第一役及び前記第二役の同時当選が決定された場合、前記第一回胴リールに対する前記停止指示手段が前記第二回胴リールに対する前記停止指示手段よりも先に操作されたときには、前記遊技の結果が前記第一役の入賞及び前記第二役の非入賞となるように前記各回胴リールの停止動作を制御し、前記第二回胴リールに対する前記停止指示手段が前記第一回胴リールに対する前記停止指示手段よりも先に操作されたときには、前記遊技の結果が前記第二役の入賞及び前記第一役の非入賞となるように前記各回胴リールの停止動作を制御することを特徴とするものである。
【００１０】
請求項２記載の発明は、請求項１記載の回胴式遊技機において、前記表示窓は、前記各回胴リールの停止時に当該回胴リールの回転方向に沿って三つの図柄を表示することができ、前記遊技制御手段は、前記各停止指示手段が操作された場合、当該停止指示手段に対する前記回胴リールの回転が停止する時期を、当該停止指示手段が操作された時期から、一つの図柄が四つ先の図柄の位置まで移動することができる時間の範囲内で遅延させることが可能であり、前記第一回胴リールについての図柄列は、前記第一図柄同士の間に前記第一図柄以外の図柄が三つ以上六つ以下含まれるように構成され、前記第二回胴リールについての図柄列は、前記第二図柄同士の間に前記第二図柄以外の図柄が三つ以上六つ以下含まれるように構成されていることを特徴とするものである。
【００１１】
請求項３記載の発明は、請求項１記載の回胴式遊技機において、前記遊技制御手段は、前記各停止指示手段が操作された場合、当該停止指示手段に対する前記回胴リールの回転が停止する時期を、当該停止指示手段が操作された時期から、一つの図柄が前記表示窓を通過する時間よりも長い所定の時間の範囲内で遅延させることが可能であり、前記第一回胴リールについての図柄列は、前記第一図柄同士の間に前記第一図柄以外の図柄が、前記表示窓が前記回胴リールの回転方向に沿って表示することができる図柄の数と同数又はそれよりも多く含まれるように、且つ前記第一回胴リールの回転中に前記第一図柄が前記表示窓に現れてから再び現れるまでの期間が前記所定の時間内となるように構成され、前記第二回胴リールについての図柄列は、前記第二図柄同士の間に前記第二図柄以外の図柄が、前記表示窓が前記回胴リールの回転方向に沿って表示することができる図柄の数と同数又はそれよりも多く含まれるように、且つ前記第二回胴リールの回転中に前記第二図柄が前記表示窓に現れてから再び現れるまでの期間が前記所定の時間内となるように構成されていることを特徴とするものである。
【００１２】
請求項４記載の発明は、請求項１、２又は３記載の回胴式遊技機において、遊技の演出を行う演出手段と、前記役抽選手段によって前記第一役及び前記第二役の同時当選が決定された場合に、当該同時当選したことを遊技者に告知する演出を行うことを決定し、その決定した演出の内容にしたがって前記演出手段を制御する演出制御手段と、を更に備えることを特徴とするものである。
【００１３】
請求項５記載の発明は、請求項１、２、３又は４記載の回胴式遊技機において、前記第二役の入賞によって期待される遊技媒体の獲得数量は前記第一役の入賞によって期待される遊技媒体の獲得数量よりも多いことを特徴とするものである。
【００１４】
上記の目的を達成するための請求項６記載の発明は、複数の図柄が配された図柄列を有し、回転可能に構成された三つの回胴リールと、前記三つの回胴リールの前側に設けられた、前記三つの回胴リールの停止時に前記回胴リールの回転方向に沿って所定数の図柄を、その回転方向に直交する方向に沿って三つの図柄を表示することができる表示窓と、前記三つの回胴リールが回転を開始する契機を与える回転指示手段と、前記各回胴リールに対応して設けられた、当該回胴リールが回転を停止する契機を与える三つの停止指示手段とを備え、前記回転指示手段が操作されることによって前記三つの回胴リールが回転を開始した後に前記三つの停止指示手段が操作されることによって前記三つの回胴リールが停止したときに各種の役に対応する図柄の組合せが前記表示窓内の有効な位置に停止表示されれば当該役に入賞するという遊技を行う回胴式遊技機において、前記回転指示手段が操作されたときに抽選で入賞可能な役を決定する役抽選手段と、前記各停止指示手段が操作されたときに、前記役抽選手段によって決定された前記入賞可能な役に応じて当該停止指示手段に対する前記回胴リールの停止動作を制御する遊技制御手段と、を具備し、前記三つの回胴リールのうち第一回胴リールについての図柄列には、第一図柄と第三図柄とが含まれ、前記三つの回胴リールのうち第二回胴リールについての図柄列には、第二図柄と第四図柄とが含まれており、前記役抽選手段による抽選では、前記第一回胴リールに配された前記第一図柄が前記表示窓内の前記有効な位置に停止表示されることによって入賞となる第一役と前記第二回胴リールに配された前記第二図柄が前記表示窓内の前記有効な位置に停止表示されることによって入賞となる第二役とに同時に当選可能であると共に、前記第一回胴リールに配された前記第三図柄が前記表示窓内の前記有効な位置に停止表示されることによって入賞となる第三役と前記第二回胴リールに配された前記第四図柄が前記表示窓内の前記有効な位置に停止表示されることによって入賞となる第四役とに同時に当選可能であり、前記遊技制御手段は、前記役抽選手段によって前記第一役及び前記第二役の同時当選が決定された場合にあっては、前記第一回胴リールに対する前記停止指示手段が前記第二回胴リールに対する前記停止指示手段よりも先に操作されたときに、前記遊技の結果が前記第一役の入賞及び前記第二役の非入賞となるように前記各回胴リールの停止動作を制御し、前記第二回胴リールに対する前記停止指示手段が前記第一回胴リールに対する前記停止指示手段よりも先に操作されたときに、前記遊技の結果が前記第二役の入賞及び前記第一役の非入賞となるように前記各回胴リールの停止動作を制御し、前記役抽選手段によって前記第三役及び前記第四役の同時当選が決定された場合にあっては、前記第一回胴リールに対する前記停止指示手段が前記第二回胴リールに対する前記停止指示手段よりも先に操作されたときに、前記遊技の結果が前記第三役の入賞及び前記第四役の非入賞となるように前記各回胴リールの停止動作を制御し、前記第二回胴リールに対する前記停止指示手段が前記第一回胴リールに対する前記停止指示手段よりも先に操作されたときに、前記遊技の結果が前記第四役の入賞及び前記第三役の非入賞となるように前記各回胴リールの停止動作を制御することを特徴とするものである。
【００１５】
請求項７記載の発明は、請求項６記載の回胴式遊技機において、前記表示窓は、前記各回胴リールの停止時に当該回胴リールの回転方向に沿って三つの図柄を表示することができ、前記遊技制御手段は、前記各停止指示手段が操作された場合、当該停止指示手段に対する前記回胴リールの回転が停止する時期を、当該停止指示手段が操作された時期から、一つの図柄が四つ先の図柄の位置まで移動することができる時間の範囲内で遅延させることが可能であり、前記第一回胴リールについての図柄列は、前記第一図柄同士の間に前記第一図柄以外の図柄が多くとも六つ含まれるように且つ前記第三図柄同士の間に前記第三図柄以外の図柄が多くとも六つ含まれるように構成され、前記第二回胴リールについての図柄列は、前記第二図柄同士の間に前記第二図柄以外の図柄が多くとも六つ含まれるように且つ前記第四図柄同士の間に前記第四図柄以外の図柄が多くとも六つ含まれるように構成されていることを特徴とするものである。
【００１６】
請求項８記載の発明は、請求項６記載の回胴式遊技機において、前記遊技制御手段は、前記各停止指示手段が操作された場合、当該停止指示手段に対する前記回胴リールの回転が停止する時期を、当該停止指示手段が操作された時期から、所定の時間の範囲内で遅延させることが可能であり、前記第一回胴リールについての図柄列は、前記第一回胴リールの回転中に前記第一図柄が前記表示窓内の前記有効な位置に現れてから再び現れるまでの期間が前記所定の時間内となるように且つ前記第三図柄が前記表示窓内の前記有効な位置に現れてから再び現れるまでの期間が前記所定の時間内となるように構成され、前記第二回胴リールについての図柄列は、前記第二回胴リールの回転中に前記第二図柄が前記表示窓内の前記有効な位置に現れてから再び現れるまでの期間が前記所定の時間内となるように且つ前記第四図柄が前記表示窓内の前記有効な位置に現れてから再び現れるまでの期間が前記所定の時間内となるように構成されていることを特徴とするものである。
【００１７】
請求項９記載の発明は、請求項６、７又は８記載の回胴式遊技機において、遊技の演出を行う演出手段と、前記役抽選手段によって前記第一役及び前記第二役の同時当選又は前記第三役及び前記第四役の同時当選が決定された場合に、当該同時当選したことを遊技者に告知する演出を行うことを決定し、その決定した演出の内容にしたがって前記演出手段を制御する演出制御手段と、を更に備えることを特徴とするものである。
【００１８】
請求項１０記載の発明は、請求項６、７、８又は９記載の回胴式遊技機において、前記第二役の入賞によって期待される遊技媒体の獲得数量は前記第一役の入賞によって期待される遊技媒体の獲得数量よりも多く、且つ、前記第三役の入賞によって期待される遊技媒体の獲得数量は前記第四役の入賞によって期待される遊技媒体の獲得数量よりも多いことを特徴とするものである。
【発明の効果】
【００１９】
請求項１記載の発明では、遊技制御手段は、役抽選手段によって第一役及び第二役の同時当選が決定された場合、第一回胴リールに対する停止指示手段が第二回胴リールに対する停止指示手段よりも先に操作されたときには、遊技の結果が第一役の入賞及び第二役の非入賞となるように各回胴リールの停止動作を制御し、第二回胴リールに対する停止指示手段が第一回胴リールに対する停止指示手段よりも先に操作されたときには、遊技の結果が第二役の入賞及び第一役の非入賞となるように各回胴リールの停止動作を制御する。これにより、第一役及び第二役の同時当選時には、回胴リールの停止順番に応じて入賞役の種類が決定される。このため、遊技者には、回胴リールを停止する順番をも考えながら遊技を行うことが要求されるので、遊技性の向上を図ることができる。
【００２０】
また、演出制御手段は、役抽選手段によって第一役及び第二役の同時当選が決定された場合に、当該同時当選したことを遊技者に告知する演出を行うことを決定し、その決定した演出の内容にしたがって演出手段を制御することが望ましい。これにより、遊技者は第一役と第二役とに同時当選したことを知ることができる。このため、遊技者は、かかる同時当選を知ったときには、回胴リールを所定の順番で停止させるだけで、たとえいわゆる目押しの技術がなくとも、第一役及び第二役のうち自分の望む役の入賞という結果を容易に得ることができる。
【００２１】
更に、第二役の入賞によって期待される遊技媒体の獲得数量が第一役の入賞によって期待される遊技媒体の獲得数量よりも多いように第一役及び第二役の内容を定義することが望ましい。このように第一役と第二役との間で遊技媒体の期待獲得数量に関して優劣をつけたことにより、遊技性をさらに向上させることができる。
【００２２】
請求項６記載の発明では、遊技制御手段は、役抽選手段によって第一役及び第二役の同時当選が決定された場合にあっては、第一回胴リールに対する停止指示手段が第二回胴リールに対する停止指示手段よりも先に操作されたときに、遊技の結果が第一役の入賞及び第二役の非入賞となるように各回胴リールの停止動作を制御し、第二回胴リールに対する停止指示手段が第一回胴リールに対する停止指示手段よりも先に操作されたときに、遊技の結果が第二役の入賞及び第一役の非入賞となるように各回胴リールの停止動作を制御し、役抽選手段によって第三役及び第四役の同時当選が決定された場合にあっては、第一回胴リールに対する停止指示手段が第二回胴リールに対する停止指示手段よりも先に操作されたときに、遊技の結果が第三役の入賞及び第四役の非入賞となるように各回胴リールの停止動作を制御し、第二回胴リールに対する停止指示手段が第一回胴リールに対する停止指示手段よりも先に操作されたときに、遊技の結果が第四役の入賞及び第三役の非入賞となるように各回胴リールの停止動作を制御する。これにより、第一役及び第二役の同時当選時、又は第三役及び第四役の同時当選時には、回胴リールの停止順番に応じて入賞役の種類が決定される。すなわち、上記の請求項１記載の発明に係る回胴式遊技機では、回胴リールの停止順番に応じて入賞役の種類が決まる同時当選役を一組だけ設けているが、請求項６記載の発明に係る回胴式遊技機では、回胴リールの停止順番に応じて入賞役の種類が決まる同時当選役を二組設けている。このため、請求項６記載の発明では、請求項１記載の発明よりも一層、遊技性の向上を図ることができる。
【００２３】
また、演出制御手段は、役抽選手段によって第一役及び第二役の同時当選又は第三役及び第四役の同時当選が決定された場合に、当該同時当選したことを遊技者に告知する演出を行うことを決定し、その決定した演出の内容にしたがって演出手段を制御することが望ましい。これにより、遊技者は第一役と第二役とに同時当選又は第三役と第四役とに同時当選したことを知ることができる。このため、遊技者は、かかる同時当選を知ったときには、回胴リールを所定の順番で停止させるだけで、たとえいわゆる目押しの技術がなくとも、その同時当選した二つの役のうち自分の望む役の入賞という結果を容易に得ることができる。
【００２４】
更に、第二役の入賞によって期待される遊技媒体の獲得数量は第一役の入賞によって期待される遊技媒体の獲得数量よりも多く、且つ、第三役の入賞によって期待される遊技媒体の獲得数量は第四役の入賞によって期待される遊技媒体の獲得数量よりも多いように、第一役、第二役、第三役及び第四役の内容を定義することが望ましい。このように第一役と第二役との間で及び第三役と第四役との間で遊技媒体の期待獲得枚数に関して優劣をつけたことにより、遊技性をさらに向上させることができる。
【発明を実施するための最良の形態】
【００２５】
以下に、図面を参照して、本願に係る発明を実施するための最良の形態について説明する。
【００２６】
まず、本発明の第一実施形態について図面を参照して説明する。図１は本発明の第一実施形態である回胴式遊技機の概略正面図、図２はその回胴式遊技機の概略ブロック図である。
【００２７】
第一実施形態の回胴式遊技機は、図１及び図２に示すように、左側回胴リール１１ａ，中央回胴リール１１ｂ，右側回胴リール１１ｃと、表示窓１２と、メダル投入口１３と、クレジット数表示部１４と、ベットボタン１５と、スタートレバー１６と、左側停止ボタン１７ａ，中央停止ボタン１７ｂ，右側停止ボタン１７ｃと、清算ボタン２１と、払出数表示部２２と、メダル放出口２３と、メダル受皿２４と、払出装置２５と、画像表示部３０と、電飾表示部４０と、スピーカ部５０と、投入メダル検出センサ６１と、ベットボタン操作検出センサ６２と、スタートレバー操作検出センサ６３と、左側停止ボタン操作検出センサ６４ａ，中央停止ボタン操作検出センサ６４ｂ，右側停止ボタン操作検出センサ６４ｃと、左側回胴リール駆動手段６５ａ，中央回胴リール駆動手段６５ｂ，右側回胴リール駆動手段６５ｃと、主制御基板７０と、演出制御基板８０とを備える。
【００２８】
図１に示すように、回胴式遊技機の中央部のやや上側には、左側回胴リール１１ａ、中央回胴リール１１ｂ、右側回胴リール１１ｃが並べて配設されている。各回胴リール１１ａ，１１ｂ，１１ｃは、複数の図柄を一列に配した図柄列を有しており、回転可能に構成されている。これらの回胴リール１１ａ，１１ｂ，１１ｃは、複数の図柄を変動させる変動表示及びその変動表示を停止させる停止表示が可能な図柄表示手段としての役割を果たすものである。左側回胴リール１１ａは左側回胴リール駆動手段６５ａにより駆動され、中央回胴リール１１ｂは中央回胴リール駆動手段６５ｂにより駆動され、そして、右側回胴リール１１ｃは右側回胴リール駆動手段６５ｃにより駆動される。ここで、各回胴リール駆動手段６５ａ，６５ｂ，６５ｃとしては、例えばステッピングモータが用いられる。これら回胴リール駆動手段６５ａ，６５ｂ，６５ｃの制御は、主制御基板７０により行われる。尚、主制御基板７０は図柄表示手段が表示窓１２内の所定の位置に表示している図柄をステッピングモータのステップ数で把握することが可能であり、かかる表示図柄の把握には公知の方法が用いられる。
【００２９】
各回胴リール１１ａ，１１ｂ，１１ｃに配される図柄には、例えば、赤色の数字「７」図柄（赤７図柄）、青色の数字「７」図柄（青７図柄）、リプレイ図柄、スイカ図柄、ベル図柄、赤色のチェリー図柄（赤チェリー図柄）、青色のチェリー図柄（青チェリー図柄）等がある。本実施形態では、各回胴リール１１ａ，１１ｂ，１１ｃの外周に、これらの図柄が合計２１個配されている。また、回胴リール１１ａ，１１ｂ，１１ｃ毎に各図柄の数及び図柄の配置順序は異なっている。
【００３０】
図３は各回胴リール１１ａ，１１ｂ，１１ｃに配される図柄列の一例を示す図である。図３の例では、各回胴リール１１ａ，１１ｂ，１１ｃに配されている２１個の図柄のうち一部のみを示しており、図３における空白の部分では、図柄の表示を省略している。また、各回胴リール１１ａ，１１ｂ，１１ｃにおいては、各図柄に図柄番号（１から２１）が付されている。具体的に、左側回胴リール１１ａには、図柄番号「３」，「１０」，「１７」の各位置に赤チェリー図柄が、図柄番号「７」の位置に赤７図柄が、図柄番号「１４」の位置に青７図柄が配されている。すなわち、左側回胴リール１１ａについての図柄列には、三つの赤チェリー図柄が含まれ、その図柄列は、赤チェリー図柄同士の間に赤チェリー図柄以外の図柄が六つ含まれるように構成されている。また、中央回胴リール１１ｂには、図柄番号「３」，「１０」，「１７」の各位置にリプレイ図柄が、図柄番号「７」の位置に赤７図柄が、図柄番号「１４」の位置に青７図柄が配されている。すなわち、中央回胴リール１１ｂについての図柄列には、三つのリプレイ図柄が含まれ、その図柄列は、リプレイ図柄同士の間にリプレイ図柄以外の図柄が六つ含まれるように構成されている。更に、右側回胴リール１１ｃには、図柄番号「３」，「１０」，「１７」の各位置にベル図柄が、図柄番号「７」の位置に赤７図柄が、図柄番号「１４」の位置に青７図柄が配されている。すなわち、右側回胴リール１１ｃについての図柄列には、三つのベル図柄が含まれ、その図柄列は、ベル図柄同士の間にベル図柄以外の図柄が六つ含まれるように構成されている。尚、各回胴リール１１ａ，１１ｂ，１１ｃは、図３に示す図柄列が上から下に移動するように駆動される。
【００３１】
表示窓１２は回胴リール１１ａ，１１ｂ，１１ｃの前側に設けられた透明な窓部である。この表示窓１２は、三つの回胴リール１１ａ，１１ｂ，１１ｃの停止時に回胴リールの回転方向に沿って三つの図柄を、その回転方向に直交する方向に沿って三つの図柄を表示することができる。すなわち、遊技者は、図１に示すように、左側回胴リール１１ａ、中央回胴リール１１ｂ、右側回胴リール１１ｃの停止時において表示窓１２からそれぞれの回胴リール１１ａ，１１ｂ，１１ｃに付された三つの図柄（合計九つの図柄）を目視することができる。尚、表示窓１２内の一番上側の表示位置のことを「表示窓内における回胴リールの回転方向に沿っての上段の位置」又は「表示窓内における上段の位置」とも称する。そして、表示窓１２内の真ん中の表示位置のことを「表示窓内における回胴リールの回転方向に沿っての中段の位置」又は「表示窓内における中段の位置」、表示窓１２内の一番下側の表示位置のことを「表示窓内における回胴リールの回転方向に沿っての下段の位置」又は「表示窓内における下段の位置」とも称する。
【００３２】
回胴式遊技機では、三つの回胴リール１１ａ，１１ｂ，１１ｃの停止時に表示される図柄を、各種の役に対応する図柄の組合せに揃えるというゲーム（遊技）が行われる。すなわち、三つの回胴リール１１ａ，１１ｂ，１１ｃが回転を開始した後に遊技者による停止ボタン１７ａ，１７ｂ，１７ｃの操作にしたがって三つの回胴リール１１ａ，１１ｂ，１１ｃが停止したときに、各種の役に対応する図柄の組合せが表示窓１２に停止表示されれば、ゲームの結果は当該役の入賞となる。
【００３３】
メダル投入口１３は、遊技者がメダル（遊技媒体）を投入するための投入口である。投入メダル検出センサ６１はメダル投入口１３の内部に設けられており、メダルがメダル投入口１３に投入されたことを検出するものである。投入メダル検出センサ６１からの検出信号は主制御基板７０に送られる。主制御基板７０は、かかる投入メダル検出センサ６１からの検出信号に基づいて、メダルが何枚投入されたのかを認識することができる。
【００３４】
表示窓１２のすぐ下側には、クレジット数表示部１４が設けられている。クレジット数表示部１４は、メダルのクレジット数（貯留数）を所定の範囲内（例えば５０枚以内）で表示するものである。主制御基板７０は、ゲームの結果が所定の役の入賞になると、その役に対応して払い出されるメダルの払出枚数を現在のクレジット数に加算し、その加算した数をクレジット数表示部１４に表示させる。
【００３５】
第一実施形態の回胴式遊技機は、いわゆる三枚掛け専用の遊技機である。すなわち、かかる回胴式遊技機では、「三枚」という定められた数のメダルを投入する（掛ける）ことにより、一回のゲームを行うことができる。三枚のメダルを投入することは、ゲームを行うための条件である。このため、遊技者は、ゲームを行う際に、三枚のメダルをメダル投入口１３から投入するか、或いは、現在のクレジット数からメダル三枚分のクレジット数を使用しなければならない。
【００３６】
ベットボタン１５は、メダル投入口１３から三枚のメダルを投入することに代えてクレジットされているメダルの中から三枚のメダルを使用してゲームを行う旨を指示するための遊技指示手段である。このベットボタン１５は、表示窓１２の左下側に設けられている。ベットボタン操作検出センサ６２はベットボタン１５が押されたことを検出するものであり、ベットボタン操作検出センサ６２からの検出信号は、主制御基板７０に送られる。主制御基板７０は、かかる検出信号を受けると、三枚のメダルが掛けられたということを認識すると共に、現在のクレジット数からメダル三枚分のクレジット数を減算し、その減算した数をクレジット数表示部１４に表示させる。すなわち、ベットボタン１５を押すことは、三枚のメダルをメダル投入口１３から投入することと同等である。
【００３７】
スタートレバー１６は、ゲームを開始する旨を指示するために遊技者が操作するものである。メダル投入口１３から一回のゲームを行うのに必要な三枚のメダルが投入されるか、又は、三枚以上のメダルがクレジットされている状態でベットボタン１５が押されることにより、スタートレバー１６の操作が可能となる。ここで、一回のゲームは、メダルが投入されてスタートレバー１６が操作されることにより開始し、三つの停止ボタン１７ａ，１７ｂ，１７ｃがすべて押されることにより終了する。スタートレバー操作検出センサ６３は、スタートレバー１６が操作されたことを検出するものである。スタートレバー操作検出センサ６３は、スタートレバー１６が操作されたことを検出すると、ゲーム開始信号を主制御基板７０に送る。主制御基板７０は、投入メダル検出センサ６１、ベットボタン操作検出センサ６２のいずれかから信号が送られて、三枚のメダルが投入されたことを認識しているときに、スタートレバー操作検出センサ６３からゲーム開始信号を受けると、ゲーム開始の処理を行う。具体的には、主制御基板７０は、ゲーム開始信号を受けると、乱数値を取得し、その乱数値に基づいて役の抽選処理を行うと共に、前回のゲーム開始信号の受信時から４．１秒以上経過していれば直ちに、４．１秒経過前であれば４．１秒経過後に、三つの回胴リール１１ａ，１１ｂ，１１ｃの回転動作を開始する。すなわち、スタートレバー１６は、三つの回胴リール１１ａ，１１ｂ，１１ｃが回転を開始する契機を与える回転指示手段である。
【００３８】
左側停止ボタン１７ａは左側回胴リール１１ａの回転動作の停止を指示するためのものであり、中央停止ボタン１７ｂは中央回胴リール１１ｂの回転動作の停止を指示するためのものであり、右側停止ボタン１７ｃは右側回胴リール１１ｃの回転動作の停止を指示するためのものである。すなわち、各停止ボタン１７ａ，１７ｂ，１７ｃは、当該回胴リールが回転を停止する契機を与える停止指示手段である。また、左側停止ボタン操作検出センサ６４ａは左側停止ボタン１７ａが押されたことを検出するものであり、中央停止ボタン操作検出センサ６４ｂは中央停止ボタン１７ｂが押されたことを検出するものであり、右側停止ボタン操作検出センサ６４ｃは右側停止ボタン１７ｃが押されたことを検出するものである。各停止ボタン操作検出センサ６４ａ，６４ｂ，６４ｃからの検出信号は、主制御基板７０に送られる。主制御基板７０は、停止ボタン操作検出センサ６４ａ，６４ｂ，６４ｃからの検出信号を受けると、当該停止ボタン操作検出センサに対応する回胴リールの回転動作を所定の制御方法により停止する。
【００３９】
第一実施形態では、三つの回胴リール１１ａ，１１ｂ，１１ｃを停止させて所定の図柄を揃えるための入賞ラインが五つ設定されている。すなわち、表示窓１２内における上段の位置、中段の位置、下段の位置のそれぞれを通り水平方向に延びた三つのラインと、表示窓１２内における左上段の位置から右下段の位置に向かって延びるラインと、表示窓１２内における左下段の位置から右上段の位置に向かって延びるラインとである。三つの回胴リール１１ａ，１１ｂ，１１ｃが停止したときに、五つの入賞ラインのいずれかに所定の図柄の組合せが揃うと、その図柄の組合せに対応する役の入賞となる。
【００４０】
いま、役の種類について説明する。図４は各役の入賞となる図柄の組合せを説明するための図である。第一実施形態では、図４に示すように、ビッグボーナス（ＢＢ）、チャレンジタイムビッグボーナス（ＣＴ）、シングルボーナス（ＳＢ）、リプレイ役、ベル小役の合計五種類の役が定義されている。ＢＢの入賞条件は、三つの回胴リール１１ａ，１１ｂ，１１ｃの各々に配された赤７図柄が入賞ライン上に揃うことであり、ＣＴの入賞条件は、三つの回胴リール１１ａ，１１ｂ，１１ｃの各々に配された青７図柄が入賞ライン上に揃うことである。ＳＢの入賞条件は、左側回胴リール１１ａに配された赤チェリー図柄が表示窓１２内のいずれかの位置に停止表示されることであり、リプレイ役の入賞条件は、中央回胴リール１１ｂに配されたリプレイ図柄が表示窓１２内のいずれかの位置に停止表示されることである。そして、ベル小役の入賞条件は、右側回胴リール１１ｃに配されたベル図柄が表示窓１２内のいずれかの位置に停止表示されることである。尚、第一実施形態における赤チェリー図柄、ベル図柄はそれぞれ、請求項１記載の発明における第一図柄、第二図柄に該当し、第一実施形態におけるＳＢ、ベル小役はそれぞれ、請求項１記載の発明における第一役、第二役に該当する。
【００４１】
これら五種類の役のうち、ベル小役は、小当りである小役と称されるものである。主制御基板７０による役の抽選処理によりベル小役に当選したときには、遊技者は当該ゲームにおいて右側回胴リール１１ｃに配されたベル図柄を表示窓１２内のいずれかの位置に停止表示させることが可能になる。そして、右側回胴リール１１ｃに配されたベル図柄が表示窓１２内のいずれかの位置に停止表示されると、ベル小役の入賞となる。このように小役に入賞すると、所定枚数のメダルが払い出される。本実施形態では、ベル小役の入賞時に、９枚のメダルが払い出される。
【００４２】
また、主制御基板７０による役の抽選処理によりリプレイ役に当選したときには、遊技者は当該ゲームにおいて中央回胴リール１１ｂに配されたリプレイ図柄を表示窓１２内のいずれかの位置に停止表示させることが可能になる。中央回胴リール１１ｂに配されたリプレイ図柄が表示窓１２内のいずれかの位置に停止表示されると、リプレイ役の入賞となる。リプレイ役に入賞すると、回胴式遊技機は、再遊技の状態、すなわち、今回のゲームで掛けたメダルの枚数と同数のメダルが自動投入され、遊技者が新たにメダルを投入することなく、再度、ゲームを行うことが可能な状態となる。尚、本実施形態では、リプレイ役はメダルの払出しがないことから、リプレイ役を小役に含めていないが、次のゲームのための新たなメダルの投入操作が不要なので、そのゲームに使用したメダルが払い出されたと仮定して、リプレイ役を小役として取扱うことも可能である。
【００４３】
ＢＢ、ＣＴ、ＳＢは、いわゆるボーナスと称される役である。主制御基板７０による役の抽選処理によりＢＢに当選すると、遊技者は、三つの赤７図柄を入賞ライン上に揃えることができるようになる。三つの赤７図柄が入賞ライン上に揃うと、ＢＢの入賞となる。ＢＢに入賞すると、回胴式遊技機は、ＢＢゲームに突入する。ＢＢゲームでは、小役の当選確率が飛躍的に向上して、遊技者が短期間に多量のメダルを獲得することができる。このＢＢゲームは、メダルの累積払出枚数が例えば３００枚を超えたときに終了する。また、主制御基板７０による役の抽選処理によりＣＴに当選すると、遊技者は、三つの青７図柄を入賞ライン上に揃えることができるようになる。この三つの青７図柄が入賞ライン上に揃うと、ＣＴの入賞となる。ＣＴに入賞すると、回胴式遊技機は、ＣＴゲームに突入する。ＣＴゲームでは、リール制御が特殊な制御状態となり、役の抽選結果に関係なく、遊技者の技量次第でいずれの小役をも入賞ライン上に揃えることができるようになる。ここで、ＣＴゲームは、メダルの累積払出枚数が例えば１５０枚を超えたら終了する。
【００４４】
また、主制御基板７０による役の抽選処理によりＳＢに当選したときには、遊技者は当該ゲームにおいて左側回胴リール１１ａに配された赤チェリー図柄を表示窓１２内のいずれかの位置に停止表示させることが可能になる。そして、左側回胴リール１１ａに配された赤チェリー図柄が表示窓１２内のいずれかの位置に停止表示されると、ＳＢの入賞となる。ＳＢに入賞すると、回胴式遊技機は、ＳＢゲームを一回だけ実行する。ＳＢゲームでは、小役の当選確率が向上する。このＳＢゲームは、当該ゲームにおいて再びＳＢに入賞しない限り、そのゲーム限りで終了する。
【００４５】
払出数表示部２２は、入賞した役に対応して払い出されるメダルの払出枚数を表示するものである。払出数表示部２２の制御は主制御基板７０により行われる。メダル放出口２３からは、例えば、遊技者が清算ボタン２１を押した場合にそのときのクレジット数に対応する数のメダルが放出される。メダル受皿２４は、メダル放出口２３から放出されるメダルを蓄積するための皿である。また、払出装置２５は、所定の回転機構（不図示）を利用してメダルを一枚ずつメダル放出口２３から払い出す装置である。かかる払出装置２５の動作は、主制御基板７０により制御される。
【００４６】
画像表示部（演出手段）３０は、表示窓１２の上側に設けられている。第一実施形態では、画像表示部３０として液晶表示装置を用いている。かかる画像表示部３０は、図１及び図２に示すように、液晶パネル３１と、液晶パネル３１を制御する液晶制御基板３２とを有する。画像表示部３０は、複数の文字、数字、図形やキャラクター等の画像を変動表示することにより、役の成立の予告、所定の情報の告知、その他の遊技に関わる演出を行う。例えば、ＢＢやＣＴに当選しているかどうかを告知する連続演出を行ったり、役抽選で当選した役を告知する告知演出を行ったりする。この画像表示部３０の演出制御は、主制御基板７０からのコマンド（指令信号）に基づいて演出制御基板８０により行われる。
【００４７】
電飾表示部（演出手段）４０は、複数の表示用ランプを点灯表示することにより、各種の遊技状態を報知したり、遊技に関わる演出を行ったりするものである。本実施形態では、表示用ランプとして、発光ダイオード（light-emitting diode）を用いている。この電飾表示部４０の制御は、主制御基板７０からのコマンドに基づいて演出制御基板８０により行われる。かかる電飾表示部４０は、図１に示すように、前扉の裏側であってその外周の各部に設けられている。
【００４８】
スピーカ部（演出手段）５０は、音により遊技に関わる演出を行うものである。スピーカ部５０の制御は、主制御基板７０からのコマンドに基づいて演出制御基板８０により行われる。かかるスピーカ部５０は、図１及び図２に示すように、第一ドアスピーカ５１と、第二ドアスピーカ５２と、背面スピーカ５３とを有する。第一ドアスピーカ５１及び第二ドアスピーカ５２はそれぞれ、前扉の裏側上部の左側、右側に設けられている。すなわち、図１において、前扉上部に点線で描いた円の部分が第一ドアスピーカ５１及び第二ドアスピーカ５２である。また、背面スピーカ５３は回胴式遊技機の背面側に設けられている。
【００４９】
次に、主制御基板７０について説明する。主制御基板７０は、主に遊技内容やメダルの払出しの制御及び管理を行う。かかる主制御基板７０は、図２に示すように、乱数発生手段７１と、ＲＯＭ７２と、ＲＡＭ７３と、ＣＰＵ７４とを備えている。ＲＯＭ７２には、遊技内容の制御等に関する各種のプログラムが格納されている。また、ＲＡＭ７３は、データを一時的に記憶する作業用のメモリである。
【００５０】
ＣＰＵ７４は、ＲＯＭ７２に格納されたプログラムを実行することにより、遊技内容の制御を行ったり、演出制御基板８０を制御することによって演出の制御を行ったりする。すなわち、ＣＰＵ７４は、スタートレバー１６が操作されてゲームが開始される度に、各種の役の中から入賞可能な役を抽選で決定する役抽選手段としての役割と、遊技状態の管理、回胴リール１１ａ，１１ｂ，１１ｃの駆動・停止処理、演出制御基板８０へのコマンドの送信処理等を行う遊技制御手段としての役割とを果たす。
【００５１】
まず、遊技状態の管理について説明する。ＣＰＵ７４は、ゲームが開始されたときに行われる役抽選の結果やそのゲームの結果等に基づいて遊技状態の移行を制御する。第一実施形態の回胴式遊技機では、遊技状態として、「一般遊技状態」、「ＢＢ内部中状態」、「ＣＴ内部中状態」、「ＢＢ遊技状態」、「ＣＴ遊技状態」、「ＳＢ遊技状態」等の各種の遊技状態が設定されている。「一般遊技状態」とは、通常のゲームを行う通常の遊技状態のことである。かかる通常のゲームでは、役抽選により小役に当選し、そのゲームにおいて当該小役に入賞すると、メダルの獲得が可能である。遊技機が一般遊技状態にある場合、乱数値に基づく役抽選によりＢＢに当選すると、次のゲーム時に遊技状態が一般遊技状態からＢＢ内部中状態に移行し、一方、ＣＴに当選すると、次のゲーム時に遊技状態が一般遊技状態からＣＴ内部中状態に移行する。また、役抽選によりＳＢに当選し、そのゲームにおいてＳＢに入賞すると、次のゲーム時に遊技状態は一般遊技状態からＳＢ遊技状態に移行する。
【００５２】
「ＢＢ内部中状態」は、遊技者自身の停止ボタン１７ａ，１７ｂ，１７ｃの操作により三つの赤７図柄を入賞ライン上に揃える機会が与えられた遊技状態である。すなわち、ＢＢ内部中状態では、役抽選の結果にかかわらず、三つの赤７図柄を入賞ライン上に揃えることが可能である。遊技機がＢＢ内部中状態にある場合、三つの赤７図柄が入賞ライン上に揃うと、次のゲーム時に遊技状態はＢＢ内部中状態からＢＢ遊技状態に移行する。また、「ＣＴ内部中状態」は、遊技者自身の停止ボタン１７ａ，１７ｂ，１７ｃの操作により三つの青７図柄を入賞ライン上に揃える機会が与えられた遊技状態である。すなわち、ＣＴ内部中状態では、役抽選の結果にかかわらず、三つの青７図柄を入賞ライン上に揃えることが可能である。遊技機がＣＴ内部中状態にある場合、三つの青７図柄が入賞ライン上に揃うと、次のゲーム時に遊技状態はＣＴ内部中状態からＣＴ遊技状態に移行する。
【００５３】
「ＢＢ遊技状態」は、小役の当選確率が飛躍的に向上して遊技者が最も多量のメダルを獲得可能なＢＢゲームを実行する遊技状態である。ＢＢゲームは、メダルの累積払出枚数が３００枚を超えたときに終了する。そして、ＢＢゲームが終了すると、次のゲーム時に遊技状態はＢＢ遊技状態から一般遊技状態に移行する。また、「ＣＴ遊技状態」は、ＢＢゲームに次いで遊技者が多量のメダルを獲得可能なＣＴゲームを実行する遊技状態である。ＣＴゲームは、メダルの累積払出枚数が１５０枚を超えたときに終了する。そして、ＣＴゲームが終了すると、次のゲーム時に遊技状態はＣＴ遊技状態から一般遊技状態に移行する。
【００５４】
「ＳＢ遊技状態」は、ＳＢゲームを実行する遊技状態である。ＳＢゲームでは、小役の当選確率が向上するが、ＢＢゲームのように飛躍的に向上するわけではない。ＳＢゲームでは、小役に当選し、そのゲームにおいて当該小役に入賞すると、メダルの獲得が可能である。このＳＢゲームは、そのゲーム限りで終了する。具体的に、遊技機がＳＢ遊技状態にある場合、役抽選によりＢＢ若しくはＣＴに当選すると、次のゲーム時に遊技状態がＳＢ遊技状態からＢＢ内部中状態若しくはＣＴ内部中状態に移行する。また、ＢＢ、ＣＴ及びＳＢ以外の役に当選すると、今回のゲームの結果に関係なく、次のゲーム時に遊技状態がＳＢ遊技状態から一般遊技状態に移行する。但し、役抽選によりＳＢに当選し、そのゲームにおいてＳＢに入賞すると、次のゲーム時に遊技状態は再び、ＳＢ遊技状態となる。このように回胴式遊技機が複数の遊技状態を有することにより、遊技状態に応じて多彩な内容の遊技を実現することができる。
【００５５】
次に、乱数値に基づく役の抽選処理を説明する。乱数発生手段７１は、所定範囲の数値を順次発生すると共に、所定のタイミングで当該数値を乱数値として取得し、その取得した乱数値をＣＰＵ７４に送出するものである。本実施形態では、乱数発生手段７１として、２バイトのハードウェア乱数カウンタを用いることにしている。このため、乱数発生手段７１の発生する数値の範囲は、０から６５５３５までの範囲である。したがって、取得される乱数値もこの範囲内の数である。かかる乱数発生手段７１は、スタートレバー操作検出センサ６３からのゲーム開始信号を受けたときに、乱数値を取得する。その乱数値はＣＰＵ７４に送られ、ＣＰＵ７４はその送られた乱数値に基づいて役の抽選処理を行う。
【００５６】
役の抽選処理は所定の役抽選テーブルを用いて行われる。かかる役抽選テーブルは、各種の役に対応する乱数値の範囲を当該役の抽選確率に応じて定めたものであり、遊技状態毎に設けられている。各遊技状態に対する役抽選テーブルはＲＯＭ７２に格納されている。各役抽選テーブルにおいては、０から６５５３５までの合計６５５３６個の全数値データが、各種の役や、いずれの役にも該当しない、いわゆる「はずれ」に振り分けられている。ＣＰＵ７４は、乱数発生手段７１から送られた乱数値が、役抽選テーブルにおいていずれの役に対応するかを調べることにより、どの役に当選したか、はずれであるかを決定する。ＣＰＵ７４は、役抽選の結果に基づいて、遊技内容の制御を行ったり、所定のコマンドを演出制御基板８０に送ったりする。
【００５７】
いま、役抽選テーブルの内容を詳しく説明する。図５（ａ）は一般遊技状態に対する役抽選テーブルの内容を示す図、図５（ｂ）はＳＢ遊技状態に対する役抽選テーブルの内容を示す図である。図５（ａ），（ｂ）においては、当該遊技状態において定義されている役の種類とその役に当選する確率とを示している。尚、ここでは、これらの遊技状態以外の遊技状態に対する役抽選テーブルの内容の説明は省略する。
【００５８】
一般遊技状態に対する役抽選テーブルには、図５（ａ）に示すように、「ＢＢ」、「ＣＴ」、「ＳＢ及びベル小役」、「リプレイ役」、「ベル小役」の合計５種類の役が当選可能な役として定義されている。同様に、ＳＢ遊技状態に対する役抽選テーブルにも、図５（ｂ）に示すように、「ＢＢ」、「ＣＴ」、「ＳＢ及びベル小役」、「リプレイ役」、「ベル小役」の合計５種類の役が当選可能な役として定義されている。このように、第一実施形態では、遊技機が一般遊技状態又はＳＢ遊技状態にある場合、役抽選で当選可能な役の中に、「ＳＢ及びベル小役」、すなわち、ＳＢとベル小役とに同時に当選したという内容の役（同時当選役）が含まれている。尚、一般遊技状態に対する役抽選テーブルとＳＢ遊技状態に対する役抽選テーブルには「ベル小役」という役が定義されているため、ベル小役に単独で当選することも可能である。しかし、これらの役抽選テーブルには「ＳＢ」という役が定義されていないため、ＳＢには単独で当選することはない。
【００５９】
また、一般遊技状態に対する役抽選テーブルでは、「ＢＢ」に当選する確率が２００／６５５３６に、「ＣＴ」に当選する確率が３００／６５５３６に、「ＳＢ及びベル小役」に当選する確率が３０００／６５５３６に、「リプレイ役」に当選する確率が９０００／６５５３６に、「ベル小役」に当選する確率が４０００／６５５３６に、それぞれ設定されている。そして、これらの役のいずれにも当選しない確率が「はずれ」に当選する確率である。一方、ＳＢ遊技状態に対する役抽選テーブルでは、「ＢＢ」に当選する確率が２００／６５５３６に、「ＣＴ」に当選する確率が３００／６５５３６に、「ＳＢ及びベル小役」に当選する確率が３０００／６５５３６に、「リプレイ役」に当選する確率が９０００／６５５３６に、「ベル小役」に当選する確率が１００００／６５５３６に、それぞれ設定されている。そして、これらの役のいずれにも当選しない確率が「はずれ」に当選する確率である。したがって、一般遊技状態に対する役抽選テーブルとＳＢ遊技状態に対する役抽選テーブルとの違いは、小役（ベル小役）に当選する確率だけであり、ＳＢ遊技状態に対する役抽選テーブルでは、一般遊技状態に対する役抽選テーブルに比べて、ベル小役に当選する確率が高く（２．５倍に）設定されている。
【００６０】
ところで、回胴式遊技機では、一回のゲームで複数の役に重複して入賞することはない。このため、同時当選役である「ＳＢ及びベル小役」に当選した場合には、いずれか一方の役にしか入賞することができない。第一実施形態では、ベル小役の入賞によって期待されるメダルの獲得枚数は、ＳＢの入賞によって期待されるメダルの獲得枚数よりも多い。すなわち、ベル小役に入賞すると、遊技者は、９枚のメダルの払い出しを受けることができる。これに対し、ＳＢに入賞すると、次のＳＢゲームにおいて、図５（ｂ）に示すように小役の当選確率が上昇する。この場合、そのＳＢゲームで小役の入賞によって期待されるメダルの獲得枚数は、｛（１００００−４０００）×９｝／６５５３６＝０．８２３９７４６０９３７５、すなわち、約０．８２枚となる。したがって、ＳＢの入賞とベル小役の入賞とを比べると、メダル獲得に関してより有利な結果が得られるのは、ベル小役の入賞である。このため、遊技者は、ＳＢとベル小役とに同時当選したときには、ＳＢの入賞よりもベル小役の入賞を狙ってゲームを行うことが望ましい。このようにＳＢとベル小役との間で、メダル獲得枚数の期待値に関して優劣をつけたのは、遊技性の向上を図るためである。
【００６１】
次に、回胴リール１１ａ，１１ｂ，１１ｃの駆動・停止処理を説明する。ＣＰＵ７４は、遊技の制御の一つとして、回胴リール１１ａ，１１ｂ，１１ｃを駆動及び停止させるリール制御を行う。このＣＰＵ７４のリール制御には、リールの駆動開始制御、リールの駆動停止制御がある。リールの駆動開始制御とは、三枚のメダルが投入されることを条件に、スタートレバー１８が押されたときに、三つの回胴リール１１ａ，１１ｂ，１１ｃの駆動動作を開始するように制御することをいう。具体的に、ＣＰＵ７４は、投入メダル検出センサ６１からメダルが投入された旨の信号が送られて、三枚のメダルが投入されたことを認識したこと、又は、ベットボタン操作検出センサ６２から信号が送られたことを条件として、その後、スタートレバー操作検出センサ６３からの信号を受けたときに、三つの回胴リール１１ａ，１１ｂ，１１ｃの駆動を開始する。
【００６２】
リールの駆動停止制御とは、回胴リールが駆動している場合、当該回胴リールに対する停止ボタンが押されたときに、当該回胴リールの駆動を停止するように制御することをいう。具体的に、ＣＰＵ７４は、回胴リールが駆動している場合、当該回胴リールに対する停止ボタンが押され、その停止ボタンに対する停止ボタン操作検出センサから当該停止ボタンが押された旨の信号を受けたときに、当該回胴リールの駆動を停止する。このとき、ＣＰＵ７４は、役抽選により決定された入賞可能な役に応じて当該停止ボタンに対する回胴リールの停止動作を制御する。具体的に、ＣＰＵ７４は、各ゲームにおいてはそのゲームの開始の際に役抽選により決定された役の入賞を許容するように、リールの駆動停止制御を行う。すなわち、当該ゲームの結果は、当該役が成立するか、又は、いずれの役に対応する図柄も揃わない、いわゆる「はずれ」となるかである。尚、遊技機がＢＢ内部中状態又はＣＴ内部中状態にある場合には、ＣＰＵ７４は、当該ボーナス（ＢＢ又はＣＴ）の入賞をも許容するように、リールの駆動停止制御を行う。
【００６３】
また、リールの駆動停止制御には、各種の役に当選した場合に行われるリール引込み制御、はずれに当選した場合に行われるはずれ制御等が含まれる。はずれ制御とは、いずれの役にも入賞しないように、回胴リールの停止位置を制御することをいう。したがって、この場合には、遊技者が所望の役を狙って停止ボタンを押したとしても、どのような役にも入賞せず、ゲームの結果はいわゆる「はずれ」となる。
【００６４】
リール引込み制御とは、役抽選により所定の役に当選した場合、停止ボタンが押されたときに、その押されたタイミングで入賞ライン上に表示されている図柄から当該図柄を除いて４コマの範囲内に当選役を構成する図柄が存在するときに、その図柄を当該入賞ライン上に引き込むように当該停止ボタンに対する回胴リールの停止位置を制御することをいう。但し、遊技者が停止ボタンを押したタイミングにおいて上記の４コマの範囲内に当該役を構成する図柄が存在しないときには、リールの引込み制御が働かず、押したなりの図柄が入賞ライン上に停止する。したがって、このときには、当該役を構成する図柄は入賞ライン上に揃わず、当該役は成立しないことになる。
【００６５】
ここで、リール引込み制御において、図柄を引き込むことができる最大コマ数がなぜ「４」コマであるのかを説明する。現行の回胴式遊技機に関する規則によれば、停止ボタンが押されてから１９０ｍｓ以内に当該停止ボタンに対する回胴リールを停止させなければならない。また、回胴リールが一回転するのに要する時間は、通常、７５０ｍｓに設定されており、そして、第一実施形態では、回胴リールに配されている図柄の個数は２１個である。このため、回胴リールに配された各図柄が隣の図柄の位置に移動（１コマだけ移動）するのに要する時間は、７５０ｍｓ÷２１より、約３６ｍｓである。したがって、リール引込み制御を行える最大時間が１９０ｍｓであることから、１９０ｍｓ÷３６ｍｓを計算することにより、停止ボタンが押されたタイミングで入賞ライン上に表示されている図柄を含めてその図柄から５コマ先の図柄までのいずれかの図柄を当該入賞ライン上に引き込むことができることが分かる。すなわち、リール引込み制御は、停止ボタンが押されたタイミングで入賞ライン上に表示されている図柄から当該図柄を除いて最大４コマの範囲内に存在する図柄に対して適用することができる。したがって、ＣＰＵ７４は、かかるリール引込み制御を行うことにより、各停止ボタンが押された場合に、当該停止ボタンに対する回胴リールの回転が停止する時期を、当該停止ボタンが押された時期から、一つの図柄が四つ先の図柄の位置まで移動することができる時間の範囲内で遅延させることが可能である。
【００６６】
尚、遊技機がＣＴ遊技状態にある場合には、停止ボタンが押されてから７５ｍｓ以内に当該停止ボタンに対する回胴リールを停止させなければならない。このため、ＣＴゲームでは、リール引込み制御は、停止ボタンが押されたタイミングで入賞ライン上に表示されている図柄から当該図柄を除いて最大１コマの範囲内に存在する図柄に対してだけ適用される。但し、ＣＴゲームでは、いずれの小役の入賞も許容されており、遊技者は自己の技量によりメダルの多数獲得が可能である。
【００６７】
特に、第一実施形態では、各回胴リール１１ａ，１１ｂ，１１ｃに、図３に示すような図柄列を配している。すなわち、左側回胴リール１１ａについての図柄列は、赤チェリー図柄同士の間に赤チェリー図柄以外の図柄が六つ含まれるように構成され、中央回胴リール１１ｂについての図柄列は、リプレイ図柄同士の間にリプレイ図柄以外の図柄が六つ含まれるように構成され、そして、右側回胴リール１１ｃについての図柄列は、ベル図柄同士の間にベル図柄以外の図柄が六つ含まれるように構成されている。このため、ＳＢの入賞が許容されている場合には、遊技者が左側停止ボタン１７ａをどのようなタイミングで押したとしても、ＣＰＵ７４によるリール引込み制御により、ＳＢに入賞することになる。たとえ左側停止ボタン１７ａが押されたタイミングで表示窓１２内に赤チェリー図柄が存在していなくても、表示窓１２内の上段の位置にある図柄から当該図柄を除いて４コマの範囲内には、必ず赤チェリー図柄が存在するからである。同様に、リプレイ役の入賞が許容されている場合には、遊技者が中央停止ボタン１７ｂをどのようなタイミングで押したとしても、ＣＰＵ７４によるリール引込み制御により、リプレイ役に入賞し、ベル小役の入賞が許容されている場合には、遊技者が右側停止ボタン１７ｃをどのようなタイミングで押したとしても、ＣＰＵ７４によるリール引込み制御により、ベル小役に入賞することになる。
【００６８】
尚、一般に、遊技者がどのようなタイミングで回胴リールを停止させたとしても、上記のリール引込み制御を利用して、その回胴リールに配されたある種の図柄を表示窓１２内に必ず一つだけ停止表示させることができるようにするためには、当該回胴リールについての図柄列を、当該図柄同士の間に当該図柄以外の図柄が三つ以上六つ以下含まれるように構成すればよい。
【００６９】
ところで、役抽選によりＳＢとベル小役とに同時当選した場合には、リール引込み制御により、ＳＢとベル小役との両方の役に入賞することがあるのではないかとも思われるが、そのようなことは起こらない。第一実施形態では、ＣＰＵ７４は、ＳＢとベル小役とに同時当選した場合、左側停止ボタン１７ａが右側停止ボタン１７ｃよりも先に押されたときには、ベル小役の入賞を許容せずＳＢの入賞を許容し且つゲームの結果がＳＢの入賞及びベル小役の非入賞となるように各回胴リール１１ａ，１１ｂ，１１ｃの停止動作を制御し、右側停止ボタン１７ｃが左側停止ボタン１７ａよりも先に押されたときには、ＳＢの入賞を許容せずベル小役の入賞を許容し且つゲームの結果がベル小役の入賞及びＳＢの非入賞となるように各回胴リール１１ａ，１１ｂ，１１ｃの停止動作を制御する。すなわち、役抽選によりＳＢとベル小役とに同時当選した場合には、左側停止ボタン１７ａ及び右側停止ボタン１７ｃのうちいずれを先に押すかに応じて、同時当選役のうちいずれの役に入賞するかが決まる。
【００７０】
また、上述したように、遊技機がＢＢ内部中状態又はＣＴ内部中状態にある場合には、ＣＰＵ７４は、今回の役抽選で当選した役の入賞を許容するだけでなく、当該ボーナス（ＢＢ又はＣＴ）の入賞をも許容するように、リールの駆動停止制御を行う。このような場合、ＣＰＵ７４は、その入賞を許容する複数の役については、所定の優先順位にしたがってリール引込み制御を行う。この優先順位は、リプレイ役＞ボーナス＞小役というように予め定められている。例えば、ＢＢとベル小役との入賞が許容されている場合には、ＣＰＵ７４は、ＢＢの入賞をベル小役の入賞よりも優先して許容するように、リール引込み制御を行う。一方、リプレイ役とＢＢとの入賞が許容されている場合には、ＣＰＵ７４は、リプレイ役の入賞をＢＢの入賞よりも優先して許容するように、リール引込み制御を行う。但し、第一実施形態では、リプレイ役に当選した場合には、リール引込み制御により必ずリプレイ役に入賞するので、ＢＢに入賞することはない。このため、遊技機がＢＢ内部中状態又はＣＴ内部中状態にある場合、役抽選によりリプレイ役に当選してしまうと、遊技者は、当該ゲームにおいては三つの赤７図柄又は三つの青７図柄を入賞ライン上に揃えることができない。遊技者は、役抽選によりリプレイ役以外の役に当選したときに、三つの赤７図柄又は三つの青７図柄を入賞ライン上に揃えることが可能である。
【００７１】
実際には、ＣＰＵ７４は、所定の停止データに基づいて各回胴リール１１ａ，１１ｂ，１１ｃの駆動停止を制御している。すなわち、かかる停止データに、上述したリールの駆動停止制御（リール引込み制御、はずれ制御等）の内容が含まれている。具体的な停止データの内容については後述する。
【００７２】
次に、演出制御基板８０へのコマンド送信処理について説明する。ＣＰＵ７４から演出制御基板８０に送信するコマンドには多くの種類がある。例えば、役抽選処理の結果に基づいて作成される遊技の演出に関するコマンド（演出コマンド）や、遊技者によって所定の操作が行われたときに作成されるコマンド（操作コマンド）等がある。
【００７３】
ＣＰＵ７４は、遊技者によって所定の操作が行われたときに、当該操作が行われた旨の操作コマンドを作成し、その作成した操作コマンドを演出制御基板８０に出力する。具体的には、スタートレバー１６の押下時、左側停止ボタン１７ａの押下時、中央停止ボタン１７ｂの押下時、右側停止ボタン１７ｃの押下時、そして、メダルの三枚目投入時又はベットボタン１５の押下時に、操作コマンドが作成される。すなわち、スタートレバー１６の押下時には、スタートレバー１６が押下された旨の操作コマンドが作成される。左側停止ボタン１７ａの押下時には、左側停止ボタン１７ａが押下された旨の操作コマンドが作成され、中央停止ボタン１７ｂの押下時には、中央停止ボタン１７ｂが押下された旨の操作コマンドが作成され、そして、右側停止ボタン１７ｃの押下時には、右側停止ボタン１７ｃが押下された旨の操作コマンドが作成される。また、メダルの三枚目投入時には、メダル投入口１３から三枚目のメダルが投入された旨の操作コマンドが作成され、ベットボタン１５の押下時には、ベットボタン１５が押下された旨の操作コマンドが作成される。しかし、実際に、ＣＰＵ７４は、メダルの三枚目投入時、ベットボタン１５の押下時にあっては、いずれも全く同じ内容の操作コマンドを作成することにしている。
【００７４】
また、ＣＰＵ７４は、スタートレバー１６が押下されたときに、上述の役抽選処理を行うと共に、その役抽選の結果に応じた演出コマンドを生成し、その生成した演出コマンドを演出制御基板８０に出力する。すなわち、この演出コマンドは役抽選の結果に関する指令信号である。演出制御基板８０はかかる演出コマンドに基づいて遊技の演出内容を決定することになる。このように、ＣＰＵ７４は、演出制御基板８０に所定の指令信号（演出コマンド、操作コマンド等）を送ることにより、演出制御基板８０を制御している。
【００７５】
尚、回胴式遊技機に関しては、さまざまな規格が定められている。その一つに、スタートレバー１６を操作してから４．１秒を経過しないと、次にスタートレバー１６を操作しても、回胴リール１１ａ，１１ｂ，１１ｃが回転しないという規格がある。このため、ＣＰＵ７４は、かかる規格に合致するように、回胴リール１１ａ，１１ｂ，１１ｃの駆動開始制御を行う。但し、スタートレバー１６を操作してから４．１秒以内に、次にスタートレバー１６を操作した場合であっても、ＣＰＵ７４が、投入メダル検出センサ６１から信号が送られて、三枚のメダルが投入されたことをすでに認識しているか、又は、ベットボタン操作検出センサ６２から信号をすでに受けていれば、乱数値に基づく役抽選処理は行われる。
【００７６】
次に、演出制御基板８０について説明する。演出制御基板８０は、主制御基板７０と通信ケーブル線を介して接続されている。かかる演出制御基板８０は、主に遊技演出に関わる機能を実現する。演出制御基板８０は、図２に示すように、ＲＯＭ８１と、ＲＡＭ８２と、ＣＰＵ８３とを有する。ＲＯＭ８１には、遊技の演出に関する各種のプログラムが格納されている。ＲＡＭ８２は、データを一時的に記憶する作業用のメモリである。ＣＰＵ８３は、ＲＯＭ８１に格納されたプログラムを実行することにより、遊技の演出の制御を行う。すなわち、ＣＰＵ８３は、主制御基板７０からの指示（演出コマンド、操作コマンド等）に基づいて遊技の演出内容を決定し、その決定した遊技の演出内容にしたがって画像表示部３０、電飾表示部４０、スピーカ部５０を制御する演出制御手段としての役割を果たす。
【００７７】
また、ＲＯＭ８１には、プログラムの他に、各種のデータが格納されている。例えば、画像表示部３０を制御するための複数の画像演出用パターンデータ、電飾表示部４０を制御するための複数の電飾演出用パターンデータ、スピーカ部５０を制御するための複数の音声演出用パターンデータがＲＯＭ８１に格納されている。
【００７８】
更に、ＲＯＭ８１は、演出内容決定用テーブルを格納している。かかる演出内容決定用テーブルは、演出コマンド毎に設けられている。演出内容決定用テーブルには、複数の演出組合せデータが記述されている。かかる複数の演出組合せデータには、ゲームが一回行われるまでの間及びその次のゲームを行うために三枚のメダルが投入されるまでの間において所定の操作が行われる毎に画像表示部３０、電飾表示部４０、スピーカ部５０のそれぞれに行わせる遊技演出の内容を定めた複数の通常演出組合せデータと、ゲームが複数回行われるまでの間及びその次のゲームを行うために三枚のメダルが投入されるまでの間において所定の操作が行われる毎に画像表示部３０、電飾表示部４０、スピーカ部５０のそれぞれに行わせる遊技演出内容を定めた複数の連続演出組合せデータとが含まれている。
【００７９】
具体的に、各演出組合せデータにおいては、スタートレバー１６の押下時、左側停止ボタン１７ａの押下時、中央停止ボタン１７ｂの押下時、右側停止ボタン１７ｃの押下時、及び、メダルの三枚目投入時又はベットボタン１５の押下時（三枚目投入時）の合計五つの操作タイミングが定められている。そして、各演出組合せデータには、各操作タイミングに対応して、画像演出用パターンデータ、電飾演出用パターンデータ、音声演出用パターンデータを特定するデータ（例えば番号）が含まれている。特に、連続演出組合せデータにおいては、各回のゲーム毎に上記五つの操作タイミングが定められている。
【００８０】
ＣＰＵ８３は、主制御基板７０から演出コマンドを受けたとき、当該演出コマンドに対する演出内容決定用テーブルを用いて抽選を行い、一つの演出組合せデータを決定する。ここで、その決定した演出組合せデータはＲＡＭ７２に一時記憶される。そして、ＣＰＵ８３は、その決定した演出組合せデータに基づいて各パターンデータをＲＯＭ８１から取得し、その取得した当該各パターンデータに基づいて画像表示部３０、電飾表示部４０、スピーカ部５０を制御する。尚、上記抽選により連続演出組合せデータが決定されたときには、ＣＰＵ８３は、複数回のゲームにわたって、当該連続演出組合せデータに基づいて画像表示部３０、電飾表示部４０、スピーカ部５０を制御することになる。
【００８１】
このように、ＣＰＵ８３は、演出抽選により決定される通常演出・連続演出の内容にしたがって画像表示部３０、電飾表示部４０、スピーカ部５０の制御を行うが、ＣＰＵ８３が画像表示部３０、電飾表示部４０、スピーカ部５０に実行させる演出の種類はこれだけではない。ＣＰＵ８３は、上記の通常演出・連続演出以外の他の演出を画像表示部３０、電飾表示部４０、スピーカ部５０に実行させる。かかる他の演出としては、例えば、当選役の告知演出がある。当選役の告知演出とは、今回のゲームにおいて役抽選で所定の役に当選した場合に、当該役に当選したことを遊技者に告知するための演出である。特に、第一実施形態では、ＣＰＵ８３は、主制御基板７０から送られた演出コマンドに基づいて、今回の役抽選でＳＢとベル小役とに同時当選したことを認識すると、当該同時当選したことを遊技者に告知する演出を行うことを決定し、その決定した演出内容にしたがって画像表示部３０を制御する。具体的には、右側回胴リール１１ｃを左側回胴リール１１ａよりも先に停止すべきことを示唆する画像を画像表示部３０に表示させる。これは、同時当選役に当選したことを遊技者に知らせると共に、遊技者にとってはベル小役に入賞する方がＳＢに入賞するよりもメダル獲得の点で有利であるので、ベル小役に入賞するための停止ボタンの操作方法を遊技者にアドバイスするためである。尚、この告知演出に対する画像演出用パターンデータはＲＯＭ８１に格納されている。
【００８２】
次に、第一実施形態の回胴式遊技機において、役抽選によりＳＢとベル小役とに同時当選した場合に、主制御基板７０のＣＰＵ７４が行うリールの駆動停止制御の具体例を説明する。
【００８３】
ＣＰＵ７４は、各回胴リールの停止データに基づいてリールの駆動停止制御を行っている。かかる停止データは、ＲＯＭ７２に格納されている。各回胴リール１１ａ，１１ｂ，１１ｃの停止データには、当該回胴リールに対応する停止ボタンが押されたタイミングで当該回胴リールが所定の基準位置に表示している図柄と実際に当該回胴リールが停止表示する図柄との関係が定められている。各回胴リール１１ａ，１１ｂ，１１ｃの停止データは、遊技状態毎及び役抽選の結果毎に設けられている。また、他の回胴リールがすでに停止表示している場合にはその停止表示している図柄毎に、各回胴リール１１ａ，１１ｂ，１１ｃの停止データが設けられている。
【００８４】
図６及び図７に各回胴リールの停止データの例を示す。ここで、図６（ａ）は、遊技状態が一般遊技状態であり、役抽選の結果が「ＳＢ及びベル小役」の当選であり、そして、いずれの回胴リールも停止していない場合における左側回胴リール１１ａの停止データであり、図６（ｂ）は、遊技状態が一般遊技状態であり、役抽選の結果が「ＳＢ及びベル小役」の当選であり、そして、左側回胴リール１１ａにおける図柄番号「３」の赤チェリー図柄が所定の基準位置に停止表示されている場合における右側回胴リール１１ｃの停止データである。また、図７（ａ）は、遊技状態が一般遊技状態であり、役抽選の結果が「ＳＢ及びベル小役」の当選であり、そして、いずれの回胴リールも停止していない場合における右側回胴リール１１ｃの停止データであり、図７（ｂ）は、遊技状態が一般遊技状態であり、役抽選の結果が「ＳＢ及びベル小役」の当選であり、そして、右側回胴リール１１ｃにおける図柄番号「３」のベル図柄が所定の基準位置に停止表示されている場合における左側回胴リール１１ａの停止データである。ここでは、上記の「基準位置」を、例えば、表示窓１２内における上段の位置とする。
【００８５】
また、図６及び図７における各停止データでは、停止ボタンが押されたタイミングで回胴リールが基準位置に表示している図柄と実際に回胴リールが停止表示する図柄との関係を示す情報として、「スベリコマ数」が定められている。スベリコマ数とは、停止ボタンが押されたタイミングで表示窓１２内における上段の位置に表示されている当該回胴リールの図柄についてその図柄をさらに何コマだけ移動させた後に当該回胴リールを停止させるかを表すものである。このようなスベリコマ数を設定したことにより、表示窓１２内に停止表示される当該回胴リールの三つの図柄の組合せとしては、２１通りすべての組合せが可能であるというわけではなく、特定の組合せだけに制限される。
【００８６】
最初に、役抽選の結果がＳＢとベル小役との同時当選であり、遊技者が左側停止ボタン１７ａを右側停止ボタン１７ｃよりも先に操作する場合を説明する。この場合、左側停止ボタン１７ａが操作されると、ＣＰＵ７４は、図６（ａ）に示す停止データに基づいて左側回胴リール１１ａの駆動停止制御を行う。この図６（ａ）に示す停止データは、いずれの回胴リールも停止していない場合における左側回胴リール１１ａの停止データであるが、その内容は、左側停止ボタン１７ａをどのようなタイミングで押しても、赤チェリー図柄が表示窓１２内のいずれかの位置に停止表示されるという内容になっている。例えば、遊技者が、図柄番号「７」の赤７図柄が表示窓１２内における上段の位置に表示されているタイミングで左側停止ボタン１７ａを押すと、図６（ａ）に示す停止データには、その図柄番号「７」の赤７図柄に対するスベリコマ数として「４」が設定されているので、ＣＰＵ７４は、図柄番号「７」の赤７図柄を左側回胴リール１１ａの回転方向に沿って４コマだけ移動させた後に、左側回胴リール１１ａを停止させる。すなわち、この場合、左側回胴リール１１ａが停止すると、表示窓１２には、図柄番号「３」の赤チェリー図柄、図柄番号「４」の図柄、図柄番号「５」の図柄が停止表示されることになる。これにより、今回のゲームの結果はＳＢの入賞となる。
【００８７】
その後、右側停止ボタン１７ｃが操作されると、ＣＰＵ７４は、図６（ｂ）に示す停止データに基づいて右側回胴リール１１ｃの駆動停止制御を行う。この図６（ｂ）に示す停止データは、左側回胴リール１１ａにおける図柄番号「３」の赤チェリー図柄が表示窓１２内における上段の位置に停止表示されている場合の右側回胴リール１１ｃの停止データであるが、その内容は、右側停止ボタン１７ｃをどのようなタイミングで押しても、ベル図柄が表示窓１２内のいずれの位置にも停止表示されないという内容になっている。これは、この時点ですでにＳＢの入賞が確定しているので、さらにベル小役に入賞することがないように右側回胴リール１１ｃを停止制御する必要があるからである。例えば、遊技者が、図柄番号「１０」のベル図柄が表示窓１２内における上段の位置に表示されているタイミングで右側停止ボタン１７ｃを押すと、図６（ｂ）に示す停止データには、その図柄番号「１０」のベル図柄に対するスベリコマ数として「３」が設定されているので、ＣＰＵ７４は、図柄番号「１０」のベル図柄を右側回胴リール１１ｃの回転方向に沿って３コマだけ移動させた後に、右側回胴リール１１ｃを停止させる。すなわち、この場合、右側回胴リール１１ｃが停止すると、表示窓１２には、図柄番号「７」の赤７図柄、図柄番号「８」の図柄、図柄番号「９」の図柄が停止表示されることになる。これにより、今回のゲームでは、ベル小役に入賞することはない。こうして、役抽選の結果がＳＢとベル小役との同時当選である場合、左側停止ボタン１７ａを右側停止ボタン１７ｃよりも先に操作すると、常にＳＢに入賞することになる。
【００８８】
次に、役抽選の結果がＳＢとベル小役との同時当選であり、遊技者が右側停止ボタン１７ｃを左側停止ボタン１７ａよりも先に操作する場合を説明する。この場合、右側停止ボタン１７ｃが操作されると、ＣＰＵ７４は、図７（ａ）に示す停止データに基づいて右側回胴リール１１ｃの駆動停止制御を行う。この図７（ａ）に示す停止データは、いずれの回胴リールも停止していない場合における右側回胴リール１１ｃの停止データであるが、その内容は、右側停止ボタン１７ｃをどのようなタイミングで押しても、ベル図柄が表示窓１２内のいずれかの位置に停止表示されるという内容になっている。例えば、遊技者が、図柄番号「３」のベル図柄が表示窓１２内における上段の位置に表示されているタイミングで右側停止ボタン１７ｃを押すと、図７（ａ）に示す停止データには、その図柄番号「３」のベル図柄に対するスベリコマ数として「０」が設定されているので、ＣＰＵ７４は、図柄番号「３」のベル図柄を移動させずに、右側回胴リール１１ｃを停止させる。すなわち、この場合、右側回胴リール１１ｃが停止すると、表示窓１２には、図柄番号「３」のベル図柄、図柄番号「４」の図柄、図柄番号「５」の図柄が停止表示されることになる。これにより、今回のゲームの結果はベル小役の入賞となる。
【００８９】
その後、左側停止ボタン１７ａが操作されると、ＣＰＵ７４は、図７（ｂ）に示す停止データに基づいて左側回胴リール１１ａの駆動停止制御を行う。この図７（ｂ）に示す停止データは、右側回胴リール１１ｃにおける図柄番号「３」のベル図柄が表示窓１２内における上段の位置に停止表示されている場合の左側回胴リール１１ａの停止データであるが、その内容は、左側停止ボタン１７ａをどのようなタイミングで押しても、赤チェリー図柄が表示窓１２内のいずれの位置にも停止表示されないという内容になっている。これは、この時点ですでにベル小役の入賞が確定しているので、さらにＳＢに入賞することがないように左側回胴リール１１ａを停止制御する必要があるからである。例えば、遊技者が、図柄番号「１７」の赤チェリー図柄が表示窓１２内における上段の位置に表示されているタイミングで左側停止ボタン１７ａを押すと、図７（ｂ）に示す停止データには、その図柄番号「１７」の赤チェリー図柄に対するスベリコマ数として「３」が設定されているので、ＣＰＵ７４は、図柄番号「１７」のベル図柄を左側回胴リール１１ａの回転方向に沿って３コマだけ移動させた後に、左側回胴リール１１ａを停止させる。すなわち、この場合、左側回胴リール１１ａが停止すると、表示窓１２には、図柄番号「１４」の青７図柄、図柄番号「１５」の図柄、図柄番号「１６」の図柄が停止表示されることになる。これにより、今回のゲームでは、ＳＢに入賞することはない。こうして、役抽選の結果がＳＢとベル小役との同時当選である場合、右側停止ボタン１７ｃを左側停止ボタン１７ａよりも先に操作すると、常にベル小役に入賞することになる。
【００９０】
次に、本実施形態の回胴式遊技機において主制御基板７０が行う処理の手順について説明する。図８は主制御基板７０が行う処理の手順を説明するためのフローチャートである。
【００９１】
まず、主制御基板７０のＣＰＵ７４は、メダル投入操作待ち処理を行う（Ｓ１）。すなわち、ＣＰＵ７４は、投入メダル検出センサ６１又はベットボタン操作検出センサ６２からの検出信号が送られてくるのを待つ。そして、かかる検出信号を受けると、ＣＰＵ７４は、メダル投入口１３からメダルが三枚投入された旨又はベットボタン１５が押下された旨の操作コマンドを演出制御基板８０に送信する。次に、ＣＰＵ７４は、スタートレバー押下待ち処理を行う（Ｓ２）。すなわち、ＣＰＵ７４は、スタートレバー操作検出センサ６３から検出信号が送られてくるのを待つ。ＣＰＵ７４は、投入メダル検出センサ６１、ベットボタン操作検出センサ６２のいずれかから信号を受けているときに、スタートレバー操作検出センサ６３から信号を受けると、ゲームが開始されたことを認識する。
【００９２】
こうしてゲームが開始されると、ＣＰＵ７４は、乱数値に基づく役抽選処理を行う（Ｓ３）。すなわち、主制御基板７０の乱数発生手段７１は、スタートレバー操作検出センサ６３からの信号を受けたタイミングで、乱数値を取得して、その取得した乱数値をＣＰＵ７４に送る。ＣＰＵ７４は、ＲＯＭ７２に格納されている現在の遊技状態に対する役抽選テーブルに基づいて、当該取得された乱数値がどの役に対応するかを調べることにより、どの役に当選したか、はずれであるかを決定する。その後、ＣＰＵ７４は、役の抽選結果に基づいて演出コマンドを生成し、その作成した演出コマンドを演出制御基板８０に送信する（Ｓ４）。尚、ここでは、演出コマンドが、スタートレバー１６が押下された旨の操作コマンドとしての役割をも果たすものとする。
【００９３】
次に、ＣＰＵ７４は、前回のスタートレバー操作検出センサ６３からの信号を受けてから４．１秒経過するのを待つ（Ｓ５）。そして、４．１秒経過すると、ＣＰＵ７４は、回胴リール駆動手段６５ａ，６５ｂ，６５ｃを制御して、三つの回胴リール１１ａ，１１ｂ，１１ｃを回転させる（Ｓ６）。
【００９４】
次に、ＣＰＵ７４は、三つの回胴リール１１ａ，１１ｂ，１１ｃの停止処理を行う（Ｓ７）。すなわち、ＣＰＵ７４は、左側停止ボタン操作検出センサ６４ａから信号を受けたときに、左側回胴リール１１ａの所定の停止データにしたがって左側回胴リール駆動手段６５ａを制御して、左側回胴リール１１ａを停止させると共に、左側停止ボタン１７ａが押下された旨の操作コマンドを演出制御基板８０に送信する。また、ＣＰＵ７４は、中央停止ボタン操作検出センサ６４ｂから信号を受けたときに、中央回胴リール１１ｂの所定の停止データにしたがって中央回胴リール駆動手段６５ｂを制御して、中央回胴リール１１ｂを停止させると共に、中央停止ボタン１７ｂが押下された旨の操作コマンドを演出制御基板８０に送信する。更に、ＣＰＵ７４は、右側停止ボタン操作検出センサ６４ｃから信号を受けたときに、右側回胴リール１１ｃの所定の停止データにしたがって右側回胴リール駆動手段６５ｃを制御して、右側回胴リール１１ｃを停止させると共に、右側停止ボタン１７ｃが押下された旨の操作コマンドを演出制御基板８０に送信する。
【００９５】
ここで、遊技者は、停止ボタン１７ａ，１７ｂ，１７ｃを押す際には、画像表示部３０により同時当選役の告知演出が行われているかどうかを確認することが望ましい。すなわち、演出制御基板８０のＣＰＵ８３は、ＣＰＵ７４から送られた演出コマンドに基づいて今回の役抽選の結果がＳＢとベル小役との同時当選であることを認識すると、右側回胴リール１１ｃを左側回胴リール１１ａよりも先に停止することを示唆する画像を画像表示部３０に表示させる。かかる画像が表示された場合には、遊技者は、その内容にしたがって右側停止ボタン１７ｃを左側停止ボタン１７ａよりも先に押すことが望ましい。これにより、今回のゲームの結果は、ＳＢの入賞ではなく、必ずベル小役の入賞となり、遊技者にとって有利な結果が得られる。
【００９６】
こうして、三つの回胴リール１１ａ，１１ｂ，１１ｃが停止したときに、所定の図柄の組合せが入賞ライン上に揃い、例えば小役に入賞すると、ＣＰＵ７４は、所定数のメダルを払い出す（Ｓ８）。以上で、図８に示す処理フローが終了するが、その後、ＣＰＵ７４は、再びステップＳ１から処理を開始する。
【００９７】
第一実施形態の回胴式遊技機では、主制御基板のＣＰＵは、役抽選でＳＢ及びベル小役の同時当選が決定された場合、左側停止ボタンが右側停止ボタンよりも先に押されたときには、ゲームの結果がＳＢの入賞及びベル小役の非入賞となるように各回胴リールの停止動作を制御し、右側停止ボタンが左側停止ボタンよりも先に押されたときには、ゲームの結果がベル小役の入賞及びＳＢの非入賞となるように各回胴リールの停止動作を制御する。これにより、ＳＢ及びベル小役の同時当選時には、回胴リールの停止順番に応じて入賞役の種類が決定される。このため、遊技者には、回胴リールを停止する順番をも考えながらゲームを行うことが要求されるので、遊技性の向上を図ることができる。
【００９８】
また、演出制御基板のＣＰＵは、役抽選でＳＢ及びベル小役の同時当選が決定された場合に、当該同時当選したことを遊技者に告知する演出を行うことを決定し、その決定した演出の内容にしたがって画像表示部を制御する。これにより、遊技者はＳＢとベル小役とに同時当選したことを知ることができる。このため、遊技者は、かかる同時当選を知ったときには、回胴リールを所定の順番で停止させるだけで、たとえいわゆる目押しの技術がなくとも、ＳＢ及びベル小役のうち自分の望む役の入賞という結果を容易に得ることができる。
【００９９】
次に、本発明の第二実施形態について説明する。第二実施形態の回胴式遊技機は、上記の第一実施形態のものと同じ構成要素を備えている。このため、以下では、第一実施形態の説明の際に用いた図１及び図２を参照して、第二実施形態の回胴式遊技機を説明することにする。また、第二実施形態において、第一実施形態のものと同一の機能を有するものには、同一の符号を付すことにより、その詳細な説明を省略する。
【０１００】
第二実施形態の回胴式遊技機の特徴点は、同時当選役が二組設けられている点である。具体的には、役の種類に二種類のシングルボーナス（ＳＢ１，ＳＢ２）を含め、そして、「ＳＢ１及びベル小役」、「ＳＢ２及びスイカ小役」を同時当選役としている。これに伴い、第二実施形態の回胴式遊技機では、遊技状態の中にＳＢ１遊技状態、ＳＢ２遊技状態が含まれることになる。また、各回胴リールに配される図柄列、役抽選テーブルの内容、主制御基板７０によるリールの駆動停止制御の内容等が第一実施形態のものと異なっている。
【０１０１】
まず、各回胴リール１１ａ，１１ｂ，１１ｃに配される図柄列を説明する。図９は各回胴リール１１ａ，１１ｂ，１１ｃに配される図柄列の一例を示す図である。図９の例では、各回胴リール１１ａ，１１ｂ，１１ｃに配されている２１個の図柄のうち一部のみを示しており、図９における空白の部分では、図柄の表示を省略している。
【０１０２】
具体的に、左側回胴リール１１ａには、図柄番号「３」，「１０」，「１７」の各位置に赤チェリー図柄が、図柄番号「６」，「１３」，「２０」の各位置にスイカ図柄が、図柄番号「７」の位置に赤７図柄が、図柄番号「１４」の位置に青７図柄が配されている。すなわち、左側回胴リール１１ａについての図柄列には、三つの赤チェリー図柄と三つのスイカ図柄とが含まれている。そして、その図柄列は、赤チェリー図柄同士の間に赤チェリー図柄以外の図柄が六つ含まれるように、且つ、スイカ図柄同士の間にスイカ図柄以外の図柄が六つ含まれるように構成されている。また、中央回胴リール１１ｂには、図柄番号「３」，「１０」，「１７」の各位置にリプレイ図柄が、図柄番号「７」の位置に赤７図柄が、図柄番号「１４」の位置に青７図柄が配されている。すなわち、中央回胴リール１１ｂについての図柄列には、三つのリプレイ図柄が含まれ、その図柄列は、リプレイ図柄同士の間にリプレイ図柄以外の図柄が六つ含まれるように構成されている。更に、右側回胴リール１１ｃには、図柄番号「３」，「１０」，「１７」の各位置にベル図柄が、図柄番号「６」，「１３」，「２０」の各位置に青チェリー図柄が、図柄番号「７」の位置に赤７図柄が、図柄番号「１４」の位置に青７図柄が配されている。すなわち、右側回胴リール１１ｃについての図柄列には、三つのベル図柄と三つの青チェリー図柄とが含まれている。そして、その図柄列は、ベル図柄同士の間にベル図柄以外の図柄が六つ含まれるように、且つ、青チェリー図柄同士の間に青チェリー図柄以外の図柄が六つ含まれるように構成されている。
【０１０３】
また、第二実施形態では、三つの回胴リール１１ａ，１１ｂ，１１ｃを停止させて所定の図柄を揃えるための入賞ラインが四つ設定されている。すなわち、表示窓１２内における上段の位置、下段の位置のそれぞれを通り水平方向に延びた二つのラインと、表示窓１２内における左上段の位置から右下段の位置に向かって延びるラインと、表示窓１２内における左下段の位置から右上段の位置に向かって延びるラインとである。各入賞ライン上の位置は、各種の役に入賞するために当該役に対応する図柄の組合せが停止表示されなければならない表示窓１２内の有効な位置である。このように、第二実施形態では、表示窓１２内における中段を通り水平方向に伸びるラインは入賞ラインではなく、第一実施形態よりも入賞ラインの数が一つだけ少なくなっている。これは、第二実施形態では、次に述べるように役の種類が多いので、一回のゲームで複数の役に重複して入賞してしまうという状況が発生するのを回避するためである。
【０１０４】
次に、役の種類について説明する。図１０は各役の入賞となる図柄の組合せを説明するための図である。第二実施形態では、図１０に示すように、ＢＢ、ＣＴ、ＳＢ１、ＳＢ２、リプレイ役、スイカ小役、ベル小役の合計七種類の役が定義されている。すなわち、シングルボーナスを二種類設けている点及び小役を二種類設けている点が第一実施形態と異なる点である。ＳＢ１の入賞条件は、左側回胴リール１１ａに配された赤チェリー図柄が表示窓１２内における上段又は下段の位置（有効な位置）に停止表示されることであり、ＳＢ２の入賞条件は、右側回胴リール１１ｃに配された青チェリー図柄が表示窓１２内における上段又は下段の位置（有効な位置）に停止表示されることである。ＳＢ１に入賞すると、次のゲームで遊技状態がＳＢ１遊技状態に移行し、ＳＢ１ゲームが一回だけ実行される。また、ＳＢ２に入賞すると、次のゲームで遊技状態がＳＢ２遊技状態に移行し、ＳＢ２ゲームが一回だけ実行される。ＳＢ１ゲーム、ＳＢ２ゲームでは、スイカ小役、ベル小役の当選確率が向上する。
【０１０５】
また、スイカ小役の入賞条件は、左回胴リール１１ａに配されたスイカ図柄が表示窓１２内における上段又は下段の位置（有効な位置）に停止表示されることであり、ベル小役の入賞条件は、右側回胴リール１１ｃに配されたベル図柄が表示窓１２内における上段又は下段の位置（有効な位置）に停止表示されることである。スイカ小役の入賞時、ベル小役の入賞時にはそれぞれ、９枚のメダルが払い出される。
【０１０６】
尚、第二実施形態における赤チェリー図柄、ベル図柄、スイカ図柄、青チェリー図柄はそれぞれ、請求項６記載の発明における第一図柄、第二図柄、第三図柄、第四図柄に該当し、第二実施形態におけるＳＢ１、ベル小役、スイカ小役、ＳＢ２はそれぞれ、請求項６記載の発明における第一役、第二役、第三役、第四役に該当する。
【０１０７】
次に、第二実施形態の回胴式遊技機で用いられる役抽選テーブルの内容を説明する。図１１（ａ）は一般遊技状態に対する役抽選テーブルの内容を示す図、図１１（ｂ）はＳＢ１遊技状態又はＳＢ２遊技状態に対する役抽選テーブルの内容を示す図である。図１１（ａ），（ｂ）においては、当該遊技状態において定義されている役の種類とその役に当選する確率とを示している。尚、ここでは、これらの遊技状態以外の遊技状態に対する役抽選テーブルの内容の説明は省略する。
【０１０８】
一般遊技状態に対する役抽選テーブルには、図１１（ａ）に示すように、「ＢＢ」、「ＣＴ」、「ＳＢ１及びベル小役」、「ＳＢ２及びスイカ小役」、「リプレイ役」、「スイカ小役」、「ベル小役」の合計７種類の役が当選可能な役として定義されている。同様に、ＳＢ１遊技状態又はＳＢ２遊技状態に対する役抽選テーブルにも、図１１（ｂ）に示すように、「ＢＢ」、「ＣＴ」、「ＳＢ１及びベル小役」、「ＳＢ２及びスイカ小役」、「リプレイ役」、「スイカ小役」、「ベル小役」の合計７種類の役が当選可能な役として定義されている。このように、第二実施形態では、遊技機が一般遊技状態、ＳＢ１遊技状態又はＳＢ２遊技状態にある場合、役抽選で当選可能な役の中に、「ＳＢ１及びベル小役」、「ＳＢ２及びスイカ小役」という二組の同時当選役が含まれている。
【０１０９】
また、一般遊技状態に対する役抽選テーブルでは、「ＢＢ」に当選する確率が２００／６５５３６に、「ＣＴ」に当選する確率が３００／６５５３６に、「ＳＢ１及びベル小役」に当選する確率が３０００／６５５３６に、「ＳＢ２及びスイカ小役」に当選する確率が３０００／６５５３６に、「リプレイ役」に当選する確率が９０００／６５５３６に、「スイカ小役」に当選する確率が４０００／６５５３６に、「ベル小役」に当選する確率が４０００／６５５３６に、それぞれ設定されている。そして、これらの役のいずれにも当選しない確率が「はずれ」に当選する確率である。一方、ＳＢ１遊技状態又はＳＢ２遊技状態に対する役抽選テーブルでは、「ＢＢ」に当選する確率が２００／６５５３６に、「ＣＴ」に当選する確率が３００／６５５３６に、「ＳＢ１及びベル小役」に当選する確率が３０００／６５５３６に、「ＳＢ２及びスイカ小役」に当選する確率が３０００／６５５３６に、「リプレイ役」に当選する確率が９０００／６５５３６に、「スイカ小役」に当選する確率が１００００／６５５３６に、「ベル小役」に当選する確率が１００００／６５５３６に、それぞれ設定されている。そして、これらの役のいずれにも当選しない確率が「はずれ」に当選する確率である。したがって、一般遊技状態に対する役抽選テーブルとＳＢ１遊技状態又はＳＢ２遊技状態に対する役抽選テーブルとの違いは、各小役に当選する確率だけであり、ＳＢ１遊技状態又はＳＢ２遊技状態に対する役抽選テーブルでは、一般遊技状態に対する役抽選テーブルに比べて、各小役に当選する確率が高く（２．５倍に）設定されている。
【０１１０】
尚、ここでは、ＳＢ１遊技状態に対する役抽選テーブルとＳＢ２遊技状態に対する役抽選テーブルとが同じ内容を有する場合について説明したが、一般には、ＳＢ１遊技状態に対する役抽選テーブルとＳＢ２遊技状態に対する役抽選テーブルとは異なる内容を有していてもよい。
【０１１１】
また、同時当選役である「ＳＢ１及びベル小役」又は「ＳＢ２及びスイカ小役」に当選した場合には、両方の役に重複して入賞することができず、いずれか一方の役にしか入賞することができない。第二実施形態では、ベル小役の入賞によって期待されるメダルの獲得枚数は、ＳＢ１の入賞によって期待されるメダルの獲得枚数よりも多く、スイカ小役の入賞によって期待されるメダルの獲得枚数は、ＳＢ２の入賞によって期待されるメダルの獲得枚数よりも多い。すなわち、ベル小役（又はスイカ小役）に入賞すると、遊技者は、９枚のメダルの払い出しを受けることができる。これに対し、ＳＢ１（又はＳＢ２）に入賞すると、次のＳＢ１ゲーム（又はＳＢ２ゲーム）において、図１１（ｂ）に示すように小役の当選確率が上昇する。この場合、そのＳＢ１ゲーム（又はＳＢ２ゲーム）で小役の入賞によって期待されるメダルの獲得枚数は、｛（１００００−４０００）×９＋（１００００−４０００）×９｝／６５５３６＝１．６４７９４９２１８７５、すなわち、約１．６５枚となる。したがって、遊技者の立場からは、ＳＢ１とベル小役とに同時当選したときには、ＳＢ１の入賞よりもベル小役の入賞を狙ってゲームを行い、ＳＢ２とスイカ小役とに同時当選したときには、ＳＢ２の入賞よりもスイカ小役の入賞を狙ってゲームを行うことが望ましいといえる。
【０１１２】
第二実施形態でも、主制御基板７０のＣＰＵ７４は、回胴リール１１ａ，１１ｂ，１１ｃを駆動及び停止させるリール制御を行う。特に、第二実施形態では、図９に示すように、左側回胴リール１１ａについての図柄列は、赤チェリー図柄同士の間に赤チェリー図柄以外の図柄が六つ含まれ、且つ、スイカ図柄同士の間にスイカ図柄以外の図柄が六つ含まれるように構成されている。そして、右側回胴リール１１ｃについての図柄列は、ベル図柄同士の間にベル図柄以外の図柄が六つ含まれ、且つ、青チェリー図柄同士の間に青チェリー図柄以外の図柄が六つ含まれるように構成されている。このため、ＳＢ１又はスイカ小役の入賞が許容されている場合には、遊技者が左側停止ボタン１７ａをどのようなタイミングで押したとしても、ＣＰＵ７４によるリール引込み制御により、その入賞が許容されている役に入賞することになる。また、ＳＢ２又はベル小役の入賞が許容されている場合には、遊技者が右側停止ボタン１７ｃをどのようなタイミングで押したとしても、ＣＰＵ７４によるリール引込み制御により、その入賞が許容されている役に入賞することになる。
【０１１３】
尚、一般に、遊技者がどのようなタイミングで回胴リールを停止させたとしても、リール引込み制御を利用して、その回胴リールに配されたある種の図柄を表示窓１２内の有効な位置に必ず一つだけ停止表示させることができるようにするためには、当該回胴リールについての図柄列を、当該図柄同士の間に当該図柄以外の図柄が多くとも六つ含まれるように構成すればよい。第二実施形態では、表示窓１２内における中段を通り水平方向に伸びるラインが非入賞ラインであるからである。
【０１１４】
また、ＣＰＵ７４は、役抽選によりＳＢ１とベル小役とに同時当選した場合、左側停止ボタン１７ａが右側停止ボタン１７ｃよりも先に押されたときには、ベル小役の入賞を許容せずＳＢ１の入賞を許容し且つゲームの結果がＳＢ１の入賞及びベル小役の非入賞となるように各回胴リール１１ａ，１１ｂ，１１ｃの停止動作を制御し、右側停止ボタン１７ｃが左側停止ボタン１７ａよりも先に押されたときには、ＳＢ１の入賞を許容せずベル小役の入賞を許容し且つゲームの結果がベル小役の入賞及びＳＢ１の非入賞となるように各回胴リール１１ａ，１１ｂ，１１ｃの停止動作を制御する。一方、ＣＰＵ７４は、役抽選によりＳＢ２とスイカ小役とに同時当選した場合、左側停止ボタン１７ａが右側停止ボタン１７ｃよりも先に押されたときには、ＳＢ２の入賞を許容せずスイカ小役の入賞を許容し且つゲームの結果がスイカ小役の入賞及びＳＢ２の非入賞となるように各回胴リール１１ａ，１１ｂ，１１ｃの停止動作を制御し、右側停止ボタン１７ｃが左側停止ボタン１７ａよりも先に押されたときには、スイカ小役の入賞を許容せずＳＢ２の入賞を許容し且つゲームの結果がＳＢ２の入賞及びスイカ小役の非入賞となるように各回胴リール１１ａ，１１ｂ，１１ｃの停止動作を制御する。したがって、役抽選によりＳＢ１及びベル小役、又はＳＢ２及びスイカ小役に同時当選した場合には、左側停止ボタン１７ａ及び右側停止ボタン１７ｃのうちいずれを先に押すかに応じて、その同時当選役のうちいずれの役に入賞するかが決まる。
【０１１５】
第二実施形態でも、演出制御基板８０は遊技演出の制御を行う。特に、演出制御基板８０のＣＰＵ８３は、主制御基板７０から送られた演出コマンドに基づいて、今回の役抽選でＳＢ１とベル小役とに同時当選したこと又はＳＢ２とスイカ小役とに同時当選したことを認識すると、当該同時当選したことを遊技者に告知する演出を行うことを決定し、その決定した演出内容にしたがって画像表示部３０を制御する。具体的には、ＳＢ１とベル小役とに同時当選した場合にあっては、右側回胴リール１１ｃを左側回胴リール１１ａよりも先に停止することを示唆する画像を画像表示部３０に表示させ、ＳＢ２とスイカ小役とに同時当選した場合にあっては、左側回胴リール１１ａを右側回胴リール１１ｃよりも先に停止することを示唆する画像を画像表示部３０に表示させる。このため、かかる画像が表示されたときには、遊技者は、同時当選役に当選したことを知ることができる。そして、遊技者がその画像の示唆する内容にしたがって停止ボタンを押せば、今回のゲームの結果は、シングルボーナスの入賞ではなく、必ず小役の入賞となり、遊技者にとって有利な結果が得られる。
【０１１６】
次に、第二実施形態の回胴式遊技機において、役抽選によりＳＢ１とベル小役とに同時当選した場合又はＳＢ２とスイカ小役とに同時当選した場合に、主制御基板７０のＣＰＵ７４が行うリールの駆動停止制御の具体例を説明する。
【０１１７】
ＣＰＵ７４は、各回胴リールの停止データに基づいてリールの駆動停止制御を行う。かかる停止データは、ＲＯＭ７２に格納されている。図１２、図１３、図１４及び図１５に各回胴リールの停止データの例を示す。ここで、図１２（ａ）は、遊技状態が一般遊技状態であり、役抽選の結果が「ＳＢ１及びベル小役」の当選であり、そして、いずれの回胴リールも停止していない場合における左側回胴リール１１ａの停止データであり、図１２（ｂ）は、遊技状態が一般遊技状態であり、役抽選の結果が「ＳＢ１及びベル小役」の当選であり、そして、左側回胴リール１１ａにおける図柄番号「３」の赤チェリー図柄が表示窓１２内における上段の位置に停止表示されている場合における右側回胴リール１１ｃの停止データである。図１３（ａ）は、遊技状態が一般遊技状態であり、役抽選の結果が「ＳＢ１及びベル小役」の当選であり、そして、いずれの回胴リールも停止していない場合における右側回胴リール１１ｃの停止データであり、図１３（ｂ）は、遊技状態が一般遊技状態であり、役抽選の結果が「ＳＢ１及びベル小役」の当選であり、そして、右側回胴リール１１ｃにおける図柄番号「３」のベル図柄が表示窓１２内における上段の位置に停止表示されている場合における左側回胴リール１１ａの停止データである。また、図１４（ａ）は、遊技状態が一般遊技状態であり、役抽選の結果が「ＳＢ２及びスイカ小役」の当選であり、そして、いずれの回胴リールも停止していない場合における左側回胴リール１１ａの停止データであり、図１４（ｂ）は、遊技状態が一般遊技状態であり、役抽選の結果が「ＳＢ２及びスイカ小役」の当選であり、そして、左側回胴リール１１ａにおける図柄番号「６」のスイカ図柄が表示窓１２内における上段の位置に停止表示されている場合における右側回胴リール１１ｃの停止データである。図１５（ａ）は、遊技状態が一般遊技状態であり、役抽選の結果が「ＳＢ２及びスイカ小役」の当選であり、そして、いずれの回胴リールも停止していない場合における右側回胴リール１１ｃの停止データであり、図１５（ｂ）は、遊技状態が一般遊技状態であり、役抽選の結果が「ＳＢ２及びスイカ小役」の当選であり、そして、右側回胴リール１１ｃにおける図柄番号「６」の青チェリー図柄が表示窓１２内における上段の位置に停止表示されている場合における左側回胴リール１１ａの停止データである。
【０１１８】
最初に、役抽選の結果がＳＢ１とベル小役との同時当選であり、遊技者が左側停止ボタン１７ａを右側停止ボタン１７ｃよりも先に操作する場合を説明する。この場合、左側停止ボタン１７ａが操作されると、ＣＰＵ７４は、図１２（ａ）に示す停止データに基づいて左側回胴リール１１ａの駆動停止制御を行う。この図１２（ａ）に示す停止データは、いずれの回胴リールも停止していない場合における左側回胴リール１１ａの停止データであるが、その内容は、左側停止ボタン１７ａをどのようなタイミングで押しても、赤チェリー図柄が表示窓１２内における上段又は下段の位置に停止表示されるが、スイカ図柄が表示窓１２内における上段及び下段のいずれの位置にも停止表示されないという内容になっている。例えば、遊技者が、図柄番号「７」の赤７図柄が表示窓１２内における上段の位置に表示されているタイミングで左側停止ボタン１７ａを押すと、図１２（ａ）に示す停止データには、その図柄番号「７」の赤７図柄に対するスベリコマ数として「４」が設定されているので、ＣＰＵ７４は、図柄番号「７」の赤７図柄を左側回胴リール１１ａの回転方向に沿って４コマだけ移動させた後に、左側回胴リール１１ａを停止させる。すなわち、この場合、左側回胴リール１１ａが停止すると、表示窓１２には、図柄番号「３」の赤チェリー図柄、図柄番号「４」の図柄、図柄番号「５」の図柄が停止表示されることになる。これにより、今回のゲームの結果はＳＢ１の入賞となる。
【０１１９】
その後、右側停止ボタン１７ｃが操作されると、ＣＰＵ７４は、図１２（ｂ）に示す停止データに基づいて右側回胴リール１１ｃの駆動停止制御を行う。この図１２（ｂ）に示す停止データは、左側回胴リール１１ａにおける図柄番号「３」の赤チェリー図柄が表示窓１２内における上段に停止表示されている場合の右側回胴リール１１ｃの停止データであるが、その内容は、右側停止ボタン１７ｃをどのようなタイミングで押しても、青チェリー図柄及びベル図柄が表示窓１２内における上段及び下段のいずれの位置にも停止表示されないという内容になっている。この停止データが使用される場合には、すでにＳＢ１の入賞が確定しているので、さらにＳＢ２やベル小役に入賞することがないように右側回胴リール１１ｃを停止制御しなければならないからである。例えば、遊技者が、図柄番号「１０」のベル図柄が表示窓１２内における上段の位置に表示されているタイミングで右側停止ボタン１７ｃを押すと、図１２（ｂ）に示す停止データには、その図柄番号「１０」のベル図柄に対するスベリコマ数として「１」が設定されているので、ＣＰＵ７４は、図柄番号「１０」のベル図柄を右側回胴リール１１ｃの回転方向に沿って１コマだけ移動させた後に、右側回胴リール１１ｃを停止させる。すなわち、この場合、右側回胴リール１１ｃが停止すると、表示窓１２には、図柄番号「９」の図柄、図柄番号「１０」のベル図柄、図柄番号「１１」の図柄が停止表示されることになる。ここで、第二実施形態では、表示窓１２内における中段の位置を通り水平方向に伸びるラインは入賞ラインではないので、図柄番号「１０」のベル図柄が表示窓１２内における中段の位置に停止表示されていても、ベル小役の入賞とはならない。こうして、役抽選の結果がＳＢ１及びベル小役の同時当選である場合、左側停止ボタン１７ａを右側停止ボタン１７ｃよりも先に操作すると、常にＳＢ１に入賞することになる。
【０１２０】
次に、役抽選の結果がＳＢ１とベル小役との同時当選であり、遊技者が右側停止ボタン１７ｃを左側停止ボタン１７ａよりも先に操作する場合を説明する。この場合、右側停止ボタン１７ｃが操作されると、ＣＰＵ７４は、図１３（ａ）に示す停止データに基づいて右側回胴リール１１ｃの駆動停止制御を行う。この図１３（ａ）に示す停止データは、いずれの回胴リールも停止していない場合における右側回胴リール１１ｃの停止データであるが、その内容は、右側停止ボタン１７ｃをどのようなタイミングで押しても、ベル図柄が表示窓１２内における上段又は下段の位置に停止表示されるが、青チェリー図柄が表示窓１２内における上段及び下段のいずれの位置にも停止表示されないという内容になっている。例えば、遊技者が、図柄番号「３」のベル図柄が表示窓１２内における上段の位置に表示されているタイミングで右側停止ボタン１７ｃを押すと、図１３（ａ）に示す停止データには、その図柄番号「３」のベル図柄に対するスベリコマ数として「０」が設定されているので、ＣＰＵ７４は、図柄番号「３」のベル図柄を移動させずに、右側回胴リール１１ｃを停止させる。すなわち、この場合、右側回胴リール１１ｃが停止すると、表示窓１２には、図柄番号「３」のベル図柄、図柄番号「４」の図柄、図柄番号「５」の図柄が停止表示されることになる。これにより、今回のゲームの結果はベル小役の入賞となる。
【０１２１】
その後、左側停止ボタン１７ａが操作されると、ＣＰＵ７４は、図１３（ｂ）に示す停止データに基づいて左側回胴リール１１ａの駆動停止制御を行う。この図１３（ｂ）に示す停止データは、右側回胴リール１１ｃにおける図柄番号「３」のベル図柄が表示窓１２内における上段の位置に停止表示されている場合の左側回胴リール１１ａの停止データであるが、その内容は、左側停止ボタン１７ａをどのようなタイミングで押しても、赤チェリー図柄及びスイカ図柄が表示窓１２内における上段及び下段のいずれの位置にも停止表示されないという内容になっている。この停止データが使用される場合には、すでにベル小役の入賞が確定しているので、さらにＳＢ１やスイカ小役に入賞することがないように左側回胴リール１１ａを停止制御しなければならないからである。例えば、遊技者が、図柄番号「１７」の赤チェリー図柄が表示窓１２内における上段の位置に表示されているタイミングで左側停止ボタン１７ａを押すと、図７（ｂ）に示す停止データには、その図柄番号「１７」の赤チェリー図柄に対するスベリコマ数として「１」が設定されているので、ＣＰＵ７４は、図柄番号「１７」のベル図柄を左側回胴リール１１ａの回転方向に沿って１コマだけ移動させた後に、左側回胴リール１１ａを停止させる。すなわち、この場合、左側回胴リール１１ａが停止すると、表示窓１２には、図柄番号「１６」の図柄、図柄番号「１７」の赤チェリー図柄、図柄番号「１８」の図柄が停止表示されることになる。但し、これはＳＢ１の入賞ではない。こうして、役抽選の結果がＳＢ１及びベル小役の同時当選である場合、右側停止ボタン１７ｃを左側停止ボタン１７ａよりも先に操作すると、常にベル小役に入賞することになる。
【０１２２】
次に、役抽選の結果がＳＢ２とスイカ小役との同時当選であり、遊技者が左側停止ボタン１７ａを右側停止ボタン１７ｃよりも先に操作する場合を説明する。この場合、左側停止ボタン１７ａが操作されると、ＣＰＵ７４は、図１４（ａ）に示す停止データに基づいて左側回胴リール１１ａの駆動停止制御を行う。この図１４（ａ）に示す停止データは、いずれの回胴リールも停止していない場合における左側回胴リール１１ａの停止データであるが、その内容は、左側停止ボタン１７ａをどのようなタイミングで押しても、スイカ図柄が表示窓１２内における上段又は下段の位置に停止表示されるが、赤チェリー図柄が表示窓１２内における上段及び下段のいずれの位置にも停止表示されないという内容になっている。例えば、遊技者が、図柄番号「１０」の赤チェリー図柄が表示窓１２内における上段の位置に表示されているタイミングで左側停止ボタン１７ａを押すと、図１４（ａ）に示す停止データには、その図柄番号「１０」の赤チェリー図柄に対するスベリコマ数として「４」が設定されているので、ＣＰＵ７４は、図柄番号「１０」の赤チェリー図柄を左側回胴リール１１ａの回転方向に沿って４コマだけ移動させた後に、左側回胴リール１１ａを停止させる。すなわち、この場合、左側回胴リール１１ａが停止すると、表示窓１２には、図柄番号「６」のスイカ図柄、図柄番号「７」の赤７図柄、図柄番号「８」の図柄が停止表示されることになる。これにより、今回のゲームの結果はスイカ小役の入賞となる。
【０１２３】
その後、右側停止ボタン１７ｃが操作されると、ＣＰＵ７４は、図１４（ｂ）に示す停止データに基づいて右側回胴リール１１ｃの駆動停止制御を行う。この図１４（ｂ）に示す停止データは、左側回胴リール１１ａにおける図柄番号「６」のスイカ図柄が表示窓１２内における上段の位置に停止表示されている場合の右側回胴リール１１ｃの停止データであるが、その内容は、右側停止ボタン１７ｃをどのようなタイミングで押しても、青チェリー図柄及びベル図柄が表示窓１２内における上段及び下段のいずれの位置にも停止表示されないという内容になっている。この停止データが使用される場合には、すでにスイカ小役の入賞が確定しているので、さらにＳＢ２やベル小役に入賞することがないように右側回胴リール１１ｃを停止制御しなければならないからである。例えば、遊技者が、図柄番号「１０」のベル図柄が表示窓１２内における上段の位置に表示されているタイミングで右側停止ボタン１７ｃを押すと、図１４（ｂ）に示す停止データには、その図柄番号「１０」のベル図柄に対するスベリコマ数として「１」が設定されているので、ＣＰＵ７４は、図柄番号「１０」のベル図柄を右側回胴リール１１ｃの回転方向に沿って１コマだけ移動させた後に、右側回胴リール１１ｃを停止させる。すなわち、この場合、右側回胴リール１１ｃが停止すると、表示窓１２には、図柄番号「９」の図柄、図柄番号「１０」のベル図柄、図柄番号「１１」の図柄が停止表示されることになる。但し、これはベル小役の入賞ではない。こうして、役抽選の結果がＳＢ２及びスイカ小役の同時当選である場合、左側停止ボタン１７ａを右側停止ボタン１７ｃよりも先に操作すると、常にスイカ小役に入賞することになる。
【０１２４】
次に、役抽選の結果がＳＢ２とスイカ小役との同時当選であり、遊技者が右側停止ボタン１７ｃを左側停止ボタン１７ａよりも先に操作する場合を説明する。この場合、右側停止ボタン１７ｃが操作されると、ＣＰＵ７４は、図１５（ａ）に示す停止データに基づいて右側回胴リール１１ｃの駆動停止制御を行う。この図１５（ａ）に示す停止データは、いずれの回胴リールも停止していない場合における右側回胴リール１１ｃの停止データであるが、その内容は、右側停止ボタン１７ｃをどのようなタイミングで押しても、青チェリー図柄が表示窓１２内における上段又は下段の位置に停止表示されるが、ベル図柄が表示窓１２内における上段及び下段のいずれの位置にも停止表示されないという内容になっている。例えば、遊技者が、図柄番号「６」の青チェリー図柄が表示窓１２内における上段の位置に表示されているタイミングで右側停止ボタン１７ｃを押すと、図１５（ａ）に示す停止データには、その図柄番号「６」の青チェリー図柄に対するスベリコマ数として「０」が設定されているので、ＣＰＵ７４は、図柄番号「６」の青チェリー図柄を移動させずに、右側回胴リール１１ｃを停止させる。すなわち、この場合、右側回胴リール１１ｃが停止すると、表示窓１２には、図柄番号「６」の青チェリー図柄、図柄番号「７」の赤７図柄、図柄番号「８」の図柄が停止表示されることになる。これにより、今回のゲームの結果はＳＢ２の入賞となる。
【０１２５】
その後、左側停止ボタン１７ａが操作されると、ＣＰＵ７４は、図１５（ｂ）に示す停止データに基づいて左側回胴リール１１ａの駆動停止制御を行う。この図１５（ｂ）に示す停止データは、右側回胴リール１１ｃにおける図柄番号「６」の青チェリー図柄が表示窓１２内における上段の位置に停止表示されている場合の左側回胴リール１１ａの停止データであるが、その内容は、左側停止ボタン１７ａをどのようなタイミングで押しても、赤チェリー図柄及びスイカ図柄が表示窓１２内における上段及び下段のいずれの位置にも停止表示されないという内容になっている。この停止データが使用される場合には、すでにＳＢ２の入賞が確定しているので、さらにＳＢ１やスイカ小役に入賞することがないように左側回胴リール１１ａを停止制御しなければならないからである。例えば、遊技者が、図柄番号「２０」のスイカ図柄が表示窓１２内における上段の位置に表示されているタイミングで左側停止ボタン１７ａを押すと、図１５（ｂ）に示す停止データには、その図柄番号「２０」のスイカ図柄に対するスベリコマ数として「１」が設定されているので、ＣＰＵ７４は、図柄番号「２０」のスイカ図柄を左側回胴リール１１ａの回転方向に沿って１コマだけ移動させた後に、左側回胴リール１１ａを停止させる。すなわち、この場合、左側回胴リール１１ａが停止すると、表示窓１２には、図柄番号「１９」の図柄、図柄番号「２０」のスイカ図柄、図柄番号「２１」の図柄が停止表示されることになる。但し、これはスイカ小役の入賞ではない。こうして、役抽選の結果がＳＢ２及びスイカ小役の同時当選である場合、右側停止ボタン１７ｃを左側停止ボタン１７ａよりも先に操作すると、常にＳＢ２に入賞することになる。
【０１２６】
第二実施形態の回胴式遊技機では、主制御基板のＣＰＵは、役抽選でＳＢ１及びベル小役の同時当選が決定された場合にあっては、左側停止ボタンが右側停止ボタンよりも先に押されたときに、ゲームの結果がＳＢ１の入賞及びベル小役の非入賞となるように各回胴リールの停止動作を制御し、右側停止ボタンが左側停止ボタンよりも先に押されたときに、ゲームの結果がベル小役の入賞及びＳＢ１の非入賞となるように各回胴リールの停止動作を制御する。そして、役抽選でＳＢ２及びスイカ小役の同時当選が決定された場合にあっては、左側停止ボタンが右側停止ボタンよりも先に押されたときに、ゲームの結果がスイカ小役の入賞及びＳＢ２の非入賞となるように各回胴リールの停止動作を制御し、右側停止ボタンが左側停止ボタンよりも先に押されたときに、ゲームの結果がＳＢ２の入賞及びスイカ小役の非入賞となるように各回胴リールの停止動作を制御する。これにより、ＳＢ１及びベル小役の同時当選時、又はスイカ小役及びＳＢ２の同時当選時には、回胴リールの停止順番に応じて入賞役の種類が決定される。すなわち、上記の第一実施形態の回胴式遊技機では、回胴リールの停止順番に応じて入賞役の種類が決まる同時当選役を一組だけ設けていたが、第二実施形態の回胴式遊技機では、回胴リールの停止順番に応じて入賞役の種類が決まる同時当選役を二組設けている。このため、第二実施形態の回胴式遊技機では、第一実施形態の回胴式遊技機によりも一層、遊技性の向上を図ることができる。
【０１２７】
また、演出制御基板のＣＰＵは、役抽選でＳＢ１及びベル小役の同時当選又はＳＢ２及びスイカ小役の同時当選が決定された場合に、当該同時当選したことを遊技者に告知する演出を行うことを決定し、その決定した演出の内容にしたがって画像表示部を制御する。これにより、遊技者はＳＢ１とベル小役とに同時当選又はＳＢ２とスイカ小役とに同時当選したことを知ることができる。このため、遊技者は、かかる同時当選を知ったときには、回胴リールを所定の順番で停止させるだけで、たとえいわゆる目押しの技術がなくとも、その同時当選した二つの役のうち自分の望む役の入賞という結果を容易に得ることができる。
【０１２８】
ところで、上記の第一実施形態では、回胴リールの停止順番に応じて入賞役の種類が決まる同時当選役（ＳＢ及びベル小役）を一組しか設けていない。このため、毎回のゲームで、常に右側停止ボタンを最初に押すことにすれば、ＳＢとベル小役との同時当選時には必ず小役の入賞という結果が得られるだろうと考える遊技者がいるかもしれない。このように常に一定の順番で停止ボタンを押すことが行われると、回胴リールの停止順番に応じて入賞役の種類が決まる同時当選役を設けた意味が減じてしまうおそれがある。第二実施形態の回胴式遊技機は、かかる第一実施形態の回胴式遊技機の有する問題を解決することができる。すなわち、第二実施形態では、回胴リールの停止順番に応じて入賞役の種類が決まる同時当選役（ＳＢ１及びベル小役、ＳＢ２及びスイカ小役）を二組設け、これら二組の同時当選役について、ベル小役の入賞に関連する回胴リールとスイカ小役の入賞に関連する回胴リールとを異なるようにしているので、常に一定の順番で停止ボタンを押せば、二つの役の同時当選時に必ず小役の入賞が得られるという状況を無くすことができる。
【０１２９】
尚、本発明は上記の各実施形態に限定されるものではなく、その要旨の範囲内において種々の変形が可能である。
【０１３０】
例えば、上記の各実施形態では、左側回胴リール及び右側回胴リールのうちいずれを先に停止させるかに応じて、同時当選役のうちいずれの役に入賞するかが決定される場合について説明したが、停止させる順番によって入賞役を決定する二つの回胴リールとしては、三つの回胴リールの中から任意に選んだ二つの回胴リールを用いることができる。
【０１３１】
また、上記の各実施形態では、シングルボーナスと小役とが同時当選役であり、当該小役の入賞によって期待されるメダルの獲得数量が当該シングルボーナスの入賞によって期待されるメダルの獲得数量よりも多い場合について説明したが、当該シングルボーナスの入賞によって期待されるメダルの獲得数量が当該小役の入賞によって期待されるメダルの獲得数量よりも多くなるようにしてもよい。
【０１３２】
また、上記の各実施形態では、各回胴リールに２１個の図柄を配した場合について説明したが、各回胴リールには２１個よりも多い若しくは少ない数の図柄を配するようにしてもよい。但し、この場合には、リール引込み制御において図柄を引き込むことができる最大コマ数が変わることになる。
【０１３３】
更に、上記の各実施形態では、表示窓を、各回胴リールの停止時に当該回胴リールの回転方向に沿って三つの図柄を表示することができるように構成した場合について説明したが、表示窓を、各回胴リールの停止時に当該回胴リールの回転方向に沿って一つ、二つ又は四つ以上の所定数の図柄を表示することができるように構成してもよい。
【０１３４】
但し、この場合、第一実施形態の回胴式遊技機を実現するにあたっては、次の点を考慮する必要がある。すなわち、第一実施形態の回胴式遊技機では、主制御基板のＣＰＵは、上述したようなリール引込み制御により、各停止ボタンが押された場合、当該停止ボタンに対する回胴リールの回転が停止する時期を、当該停止ボタンが押された時期から、一つの図柄が表示窓を通過する時間よりも長い所定の時間の範囲内で遅延させることが可能である。そして、左側回胴リールについての図柄列は、赤チェリー図柄同士の間に赤チェリー図柄以外の図柄が、表示窓が回胴リールの回転方向に沿って表示することができる図柄の数と同数又はそれよりも多く含まれるように、且つ左側回胴リールの回転中に赤チェリー図柄が表示窓に現れてから再び現れるまでの期間が前記所定の時間内となるように構成される必要があり、一方、右側回胴リールについての図柄列は、ベル図柄同士の間にベル図柄以外の図柄が、表示窓が回胴リールの回転方向に沿って表示することができる図柄の数と同数又はそれよりも多く含まれるように、且つ右側回胴リールの回転中にベル図柄が表示窓に現れてから再び現れるまでの期間が前記所定の時間内となるように構成される必要がある。また、第二実施形態の回胴式遊技機を実現するにあたっては、次の点を考慮する必要がある。すなわち、第二実施形態の回胴式遊技機では、主制御基板のＣＰＵは、上述したようなリール引込み制御により、各停止ボタンが押された場合、当該停止ボタンに対する回胴リールの回転が停止する時期を、当該停止ボタンが押された時期から、所定の時間の範囲内で遅延させることが可能である。そして、左側回胴リールについての図柄列は、左側回胴リールの回転中に赤チェリー図柄が表示窓内の有効な位置に現れてから再び現れるまでの期間が前記所定の時間内となるように且つスイカ図柄が表示窓内の有効な位置に現れてから再び現れるまでの期間が前記所定の時間内となるように構成される必要があり、一方、右側回胴リールについての図柄列は、右側回胴リールの回転中にベル図柄が表示窓内の有効な位置に現れてから再び現れるまでの期間が前記所定の時間内となるように且つ青チェリー図柄が表示窓内の有効な位置に現れてから再び現れるまでの期間が前記所定の時間内となるように構成される必要がある。
【産業上の利用可能性】
【０１３５】
以上説明したように、本発明の回胴式遊技機によれば、遊技制御手段は、役抽選手段によって第一役及び第二役の同時当選が決定された場合、第一回胴リールに対する停止指示手段が第二回胴リールに対する停止指示手段よりも先に操作されたときには、遊技の結果が第一役の入賞及び第二役の非入賞となるように各回胴リールの停止動作を制御し、第二回胴リールに対する停止指示手段が第一回胴リールに対する停止指示手段よりも先に操作されたときには、遊技の結果が第二役の入賞及び第一役の非入賞となるように各回胴リールの停止動作を制御する。これにより、第一役及び第二役の同時当選時には、回胴リールの停止順番に応じて入賞役の種類が決定される。このため、遊技者には、回胴リールを停止する順番をも考えながら遊技を行うことが要求されるので、遊技性の向上を図ることができる。したがって、本発明は、パチスロ機、パロット機等と称される回胴式遊技機に適用することができる。
【図面の簡単な説明】
【０１３６】
【図１】本発明の第一実施形態である回胴式遊技機の概略正面図である。
【図２】第一実施形態の回胴式遊技機の概略ブロック図である。
【図３】第一実施形態の回胴式遊技機において各回胴リールに配される図柄列の一例を示す図である。
【図４】第一実施形態の回胴式遊技機において各役の入賞となる図柄の組合せを説明するための図である。
【図５】（ａ）は第一実施形態の回胴式遊技機において一般遊技状態に対する役抽選テーブルの内容を示す図、（ｂ）はその回胴式遊技機においてＳＢ遊技状態に対する役抽選テーブルの内容を示す図である。
【図６】第一実施形態の回胴式遊技機において各回胴リールの停止データの例を示す図である。
【図７】第一実施形態の回胴式遊技機において各回胴リールの停止データの例を示す図である。
【図８】第一実施形態の回胴式遊技機において主制御基板が行う処理の手順を説明するためのフローチャートである。
【図９】第二実施形態の回胴式遊技機において各回胴リールに配される図柄列の一例を示す図である。
【図１０】第二実施形態の回胴式遊技機において各役の入賞となる図柄の組合せを説明するための図である。
【図１１】（ａ）は第二実施形態の回胴式遊技機において一般遊技状態に対する役抽選テーブルの内容を示す図、（ｂ）はその回胴式遊技機においてＳＢ１遊技状態又はＳＢ２遊技状態に対する役抽選テーブルの内容を示す図である。
【図１２】第二実施形態の回胴式遊技機において各回胴リールの停止データの例を示す図である。
【図１３】第二実施形態の回胴式遊技機において各回胴リールの停止データの例を示す図である。
【図１４】第二実施形態の回胴式遊技機において各回胴リールの停止データの例を示す図である。
【図１５】第二実施形態の回胴式遊技機において各回胴リールの停止データの例を示す図である。
【符号の説明】
【０１３７】
１１ａ  左側回胴リール
１１ｂ  中央回胴リール
１１ｃ  右側回胴リール
１２  表示窓
１３  メダル投入口
１４  クレジット数表示部
１５  ベットボタン
１６  スタートレバー（回転指示手段）
１７ａ  左側停止ボタン（停止指示手段）
１７ｂ  中央停止ボタン（停止指示手段）
１７ｃ  右側停止ボタン（停止指示手段）
２１  清算ボタン
２２  払出数表示部
２３  メダル放出口
２４  メダル受皿
２５  払出装置
３０  画像表示部（演出手段）
３１  液晶パネル
３２  液晶制御基板
４０  電飾表示部（演出手段）
５０  スピーカ部（演出手段）
５１  第一ドアスピーカ
５２  第二ドアスピーカ
５３  背面スピーカ
６１  投入メダル検出センサ
６２  ベットボタン操作検出センサ
６３  スタートレバー操作検出センサ
６４ａ  左側停止ボタン操作検出センサ
６４ｂ  中央停止ボタン操作検出センサ
６４ｃ  右側停止ボタン操作検出センサ
６５ａ  左側回胴リール駆動手段
６５ｂ  中央回胴リール駆動手段
６５ｃ  右側回胴リール駆動手段
７０  主制御基板
７１  乱数発生手段
７２  ＲＯＭ
７３  ＲＡＭ
７４  ＣＰＵ（役抽選手段、遊技制御手段）
８０  演出制御基板
８１  ＲＯＭ
８２  ＲＡＭ
８３  ＣＰＵ（演出制御手段）
【図１】
2007330384.tif 000003
【図２】
2007330384.tif 000004
【図３】
2007330384.tif 000005
【図４】
2007330384.tif 000006
【図５】
2007330384.tif 000007
【図６】
2007330384.tif 000008
【図７】
2007330384.tif 000009
【図８】
2007330384.tif 000010
【図９】
2007330384.tif 000011
【図１０】
2007330384.tif 000012
【図１１】
2007330384.tif 000013
【図１２】
2007330384.tif 000014
【図１３】
2007330384.tif 000015
【図１４】
2007330384.tif 000016
【図１５】
2007330384.tif 000017